(57)【要約】【課題】天空を模倣する照明装置を利用したソリューションを実現する。【解決手段】照明システム１は、天空を模倣して空間を照明する照明装置２と、照明制御装置３と、浴室空調機１１とを備える。照明制御装置３は、照明装置２により模倣される天空の色温度を決定する色温度決定部３０３と、色温度決定部３０３により決定された色温度に基づいて照明装置２を制御する照明制御部３０４と、浴室空調機１１を制御する空調制御部３０５と、を備える。【選択図】図５
2020194703.tif 000002
【特許請求の範囲】
【請求項１】
天空を模倣して空間を照明する照明装置と、照明制御装置と、機器とを備え、
前記機器は、前記空間を空調する空調装置を含み、
前記照明制御装置は、
前記照明装置により模倣される天空の色温度を決定する色温度決定手段と、
前記色温度決定手段により決定された色温度に基づいて前記照明装置を制御する照明制御手段と、
前記機器を制御する機器制御手段と、を備える、
照明システム。
【請求項２】
前記照明装置は浴室を照明し、
前記空調装置は前記浴室を空調する浴室空調機を含み、
前記機器制御手段は、前記浴室に送風をするように前記浴室空調機を制御する、
請求項１に記載の照明システム。
【請求項３】
前記機器はさらに、前記浴室に設けられた浴槽に給湯する給湯機を含み、
前記機器制御手段はさらに、泡立たせた湯を前記浴槽に給湯するように前記給湯機を制御する、
請求項２に記載の照明システム。
【請求項４】
前記照明装置は地下空間を照明し、
前記空調装置は、地上空間から外気を取り込み前記地下空間に送り込む換気装置を含み、
前記機器制御手段は、前記地上空間から前記地下空間に外気を送り込むように前記換気装置を制御する、
請求項１に記載の照明システム。
【請求項５】
前記色温度決定手段は、現在日時における天気と現在日時との少なくとも１つに基づいて前記色温度を決定する、
請求項１から４のいずれか１項に記載の照明システム。
【請求項６】
天空を模倣して空間を照明する照明装置と、照明制御装置と、機器とを備え、
前記照明制御装置は、
前記照明装置により模倣される天空の色温度を決定する色温度決定手段と、
前記機器の状態を検知する状態検知手段と、
前記状態検知手段により検知された前記機器の状態に基づいて前記照明装置による天空の模倣をすべきか否かを判定する判定手段と、
前記判定手段により前記照明装置による天空の模倣をすべきと判定されたとき、前記色温度決定手段により決定された前記色温度に基づいて前記照明装置を制御する照明制御手段と、を備える、
照明システム。
【請求項７】
前記照明装置はキッチンを照明し、
前記機器は前記キッチンに設けられたキッチン機器を含み、
前記状態検知手段は前記キッチン機器の使用状態を検知し、
前記判定手段は、前記状態検知手段により検知された前記キッチン機器の使用状態に基づいて前記キッチンにて調理が行われているか否かを判定し、調理が行われているか否かに応じて前記照明装置による天空の模倣をすべきか否かを判定する、
請求項６に記載の照明システム。
【請求項８】
天空を模倣して寝室を照明する照明装置と、照明制御装置とを備え、
前記照明制御装置は、
前記寝室にて就寝するユーザが起床すべき起床時刻を取得する起床時刻取得手段と、
前記照明装置により模倣される天空の色温度を決定する色温度決定手段と、
前記色温度決定手段により決定された前記色温度に基づいて前記照明装置を制御する照明制御手段と、を備え、
前記色温度決定手段は、前記起床時刻を経過したときに前記照明装置が青空を模倣するように前記色温度を決定する、
照明システム。
【請求項９】
天空を模倣して部屋を照明する照明装置と、照明制御装置とを備え、
前記照明制御装置は、
前記部屋の使用についての予約状況を取得する予約状況取得手段と、
前記照明装置により模倣される天空の色温度を決定する色温度決定手段と、
前記色温度決定手段により決定された前記色温度に基づいて前記照明装置を制御する照明制御手段と、を備え、
前記色温度決定手段は、現在日時と前記予約状況とに基づいて色温度を決定する、
照明システム。
【請求項１０】
天空を模倣して空間を照明する照明装置と、照明制御装置とを備え、
前記照明装置は、
外光を透過して前記空間に導光する透過部と、
前記外光を遮蔽する遮蔽手段と、を備え、
前記照明制御装置は、
前記遮蔽手段による前記外光の遮蔽をすべきか否かを判定する遮蔽判定手段と、
前記照明装置により模倣される天空の色温度を決定する色温度決定手段と、
前記遮蔽判定手段による判定結果に基づいて前記遮蔽手段を制御する遮蔽制御手段と、
前記遮蔽判定手段による判定結果と前記色温度決定手段により決定された色温度に基づいて前記照明装置を制御する照明制御手段と、を備える、
照明システム。
【請求項１１】
前記照明装置は航空機の室内を照明し、
前記照明制御装置はさらに、前記航空機の室内にて就寝する搭乗者が起床すべき起床時刻を取得する起床時刻取得手段を備え、
前記遮蔽判定手段は、現在時刻と前記起床時刻とに基づいて、前記遮蔽手段による前記外光の遮蔽をすべきか否かを判定し、
前記色温度決定手段は、現在時刻と前記起床時刻とに基づいて前記色温度を決定する、
請求項１０に記載の照明システム。
【請求項１２】
前記遮蔽判定手段は、前記照明装置のデマンド制御に関する情報であるデマンド情報に基づいて、前記遮蔽手段による前記外光の遮蔽をすべきか否かを判定する、
請求項１０に記載の照明システム。
【請求項１３】
天空を模倣して空間を照明する照明装置により模倣される天空の色温度を決定する色温度決定手段と、
前記色温度決定手段により決定された色温度に基づいて前記照明装置を制御する照明制御手段と、
前記空間を空調する空調装置を含む機器を制御する機器制御手段と、
を備える照明制御装置。
【請求項１４】
天空を模倣して空間を照明する照明装置により模倣される天空の色温度を決定し、
決定された前記色温度に基づいて前記照明装置を制御し、
前記空間を空調する空調装置を含む機器を制御する、
制御方法。
【請求項１５】
コンピュータに、
天空を模倣して空間を照明する照明装置により模倣される天空の色温度を決定させ、
決定された前記色温度に基づいて前記照明装置を制御させ、
前記空間を空調する空調装置を含む機器を制御させる、
プログラム。
【発明の詳細な説明】
【技術分野】
【０００１】
本発明は、照明システム、照明制御装置、制御方法及びプログラムに関する。
【背景技術】
【０００２】
天空を模倣する照明装置が知られている。例えば、特許文献１には、青空、曇り空、夕焼け等を模倣する照明装置が開示されている。このような照明装置により、照明対象となる空間にいるユーザに対して、従来の照明装置ではなし得なかった様々な影響を与えることが期待できる。例えば、照明装置が青空を模倣することにより自然環境を再現し、ユーザに開放感を体感させ圧迫感を低減させる効果が期待できる。
【先行技術文献】
【特許文献】
【０００３】
【特許文献１】特開２０１８−１７０１５７号公報
【発明の概要】
【発明が解決しようとする課題】
【０００４】
上述のとおり、天空を模倣する照明装置によれば、自然環境を再現することにより、従来の照明装置ではなし得なかった様々な影響をユーザに与えることが期待できる。そのため、当該照明装置を利用した新たなソリューションも期待できる。しかし、現状では、そのようなソリューションが十分に提供されているとは言い難い。
【０００５】
本発明の目的は、上記の事情に鑑み、天空を模倣する照明装置を利用したソリューションを実現する照明システム等を提供することにある。
【課題を解決するための手段】
【０００６】
上記の目的を達成するため、本発明の第１の観点に係る照明システムは、
天空を模倣して空間を照明する照明装置と、照明制御装置と、機器とを備え、
前記機器は、前記空間を空調する空調装置を含み、
前記照明制御装置は、
前記照明装置により模倣される天空の色温度を決定する色温度決定手段と、
前記色温度決定手段により決定された色温度に基づいて前記照明装置を制御する照明制御手段と、
前記機器を制御する機器制御手段と、を備える。
【０００７】
本発明の第２の観点に係る照明システムは、
天空を模倣して空間を照明する照明装置と、照明制御装置と、機器とを備え、
前記照明制御装置は、
前記照明装置により模倣される天空の色温度を決定する色温度決定手段と、
前記機器の状態を検知する状態検知手段と、
前記状態検知手段により検知された前記機器の状態に基づいて前記照明装置による天空の模倣をすべきか否かを判定する判定手段と、
前記判定手段により前記照明装置による天空の模倣をすべきと判定されたとき、前記色温度決定手段により決定された前記色温度に基づいて前記照明装置を制御する照明制御手段と、を備える。
【０００８】
本発明の第３の観点に係る照明システムは、
天空を模倣して寝室を照明する照明装置と、照明制御装置とを備え、
前記照明制御装置は、
前記寝室にて就寝するユーザが起床すべき起床時刻を取得する起床時刻取得手段と、
前記照明装置により模倣される天空の色温度を決定する色温度決定手段と、
前記色温度決定手段により決定された前記色温度に基づいて前記照明装置を制御する照明制御手段と、を備え、
前記色温度決定手段は、前記起床時刻を経過したときに前記照明装置が青空を模倣するように前記色温度を決定する。
【０００９】
本発明の第４の観点に係る照明システムは、
天空を模倣して部屋を照明する照明装置と、照明制御装置とを備え、
前記照明制御装置は、
前記部屋の使用についての予約状況を取得する予約状況取得手段と、
前記照明装置により模倣される天空の色温度を決定する色温度決定手段と、
前記色温度決定手段により決定された前記色温度に基づいて前記照明装置を制御する照明制御手段と、を備え、
前記色温度決定手段は、現在日時と前記予約状況とに基づいて色温度を決定する。
【００１０】
本発明の第５の観点に係る照明システムは、
天空を模倣して空間を照明する照明装置と、照明制御装置とを備え、
前記照明装置は、
外光を透過して前記空間に導光する透過部と、
前記外光を遮蔽する遮蔽手段と、を備え、
前記照明制御装置は、
前記遮蔽手段による前記外光の遮蔽をすべきか否かを判定する遮蔽判定手段と、
前記照明装置により模倣される天空の色温度を決定する色温度決定手段と、
前記遮蔽判定手段による判定結果に基づいて前記遮蔽手段を制御する遮蔽制御手段と、
前記遮蔽判定手段による判定結果と前記色温度決定手段により決定された色温度に基づいて前記照明装置を制御する照明制御手段と、を備える。
【発明の効果】
【００１１】
本発明によれば、天空を模倣する照明装置を利用したソリューションを実現できる。
【図面の簡単な説明】
【００１２】
【図１】本発明の実施の形態１から５にて使用される照明装置の構成の一例を示す図
【図２】本発明の実施の形態１から５にて使用される照明装置の構成の別の一例を示す図
【図３】本発明の実施の形態６から８にて使用される照明装置の構成の一例を示す図
【図４】図３の照明装置において、液晶シャッタを開けたときの外光の透過を示す図
【図５】本発明の実施の形態１に係る照明システムの構成を示す図
【図６】本発明の実施の形態１に係る照明制御装置の色温度決定部が決定する色温度の一例を示す図
【図７】本発明の実施の形態１に係る照明制御装置のハードウェア構成の一例を示す図
【図８】本発明の実施の形態１に係る照明制御装置による機器制御の動作の一例を示すフローチャート
【図９】本発明の実施の形態１の変形例１に係る照明システムの構成を示す図
【図１０】本発明の実施の形態２に係る照明システムの構成を示す図
【図１１】本発明の実施の形態２に係る照明制御装置による照明制御の動作の一例を示すフローチャート
【図１２】本発明の実施の形態３に係る照明システムの構成を示す図
【図１３】本発明の実施の形態３に係る照明制御装置の色温度決定部が決定する色温度の一例を示す図
【図１４】本発明の実施の形態３に係る照明制御装置による照明制御の動作の一例を示すフローチャート
【図１５】本発明の実施の形態４に係る照明システムの構成を示す図
【図１６】本発明の実施の形態４に係る照明制御装置の色温度決定部が決定する色温度の一例を示す図
【図１７】本発明の実施の形態４に係る照明制御装置による照明制御の動作の一例を示すフローチャート
【図１８】本発明の実施の形態５に係る照明システムの構成を示す図
【図１９】本発明の実施の形態５に係る照明制御装置の色温度決定部が決定する色温度の一例を示す図
【図２０】本発明の実施の形態５に係る照明制御装置による機器制御の動作の一例を示すフローチャート
【図２１】本発明の実施の形態６に係る照明システムの構成を示す図
【図２２】本発明の実施の形態６に係る照明制御装置の遮蔽判定部による判定結果及び色温度決定部が決定する色温度の一例を示す図
【図２３】本発明の実施の形態６に係る照明制御装置による照明制御の動作の一例を示すフローチャート
【図２４】本発明の実施の形態７に係る照明システムの構成を示す図
【図２５】本発明の実施の形態７に係る照明制御装置の遮蔽判定部による判定結果及び色温度決定部が決定する色温度の一例を示す図
【図２６】本発明の実施の形態８に係る照明システムの構成を示す図
【図２７】本発明の実施の形態８に係る照明制御装置の機器情報記憶部に保存される機器情報の一例を示す図
【図２８】本発明の実施の形態８に係るデマンド管理サーバが作成するデマンド情報の一例を示す図
【図２９】本発明の実施の形態８に係る照明制御装置による照明制御の動作の一例を示すフローチャート
【図３０】レイリー散乱を利用した照明装置と通常の照明装置とを比較した図
【図３１】青空照明制御システムの基本構成の一例を示す図
【図３２】日中における色温度制御の一例を示す図
【図３３】夕方における色温度制御の一例を示す図
【図３４】天窓から見る日中の色温度の一例を示す図
【図３５】天窓から見る夕方の色温度の一例を示す図
【図３６】青空照明制御システムの制御モードの一例を示す図
【図３７】青空照明制御システムの各制御モードにおける色温度制御の一例を示す図
【図３８】エッジ制御システムによる青空照明付きバスユニットの一例を示す図
【図３９】クラウド制御システムによる青空照明付きバスユニットの一例を示す図
【図４０】青空照明付きバスユニットの照明モードの一例を示す図
【図４１】青空照明付きバスユニットの時間連動モードにおける制御シーケンスの一例を示すフローチャート
【図４２】青空照明付きバスユニットの天気連動モードにおける制御シーケンスの一例を示すフローチャート
【図４３】エッジ制御システムによる青空照明付きダイニングキッチンの一例を示す図
【図４４】クラウド制御システムによる青空照明付きダイニングキッチンの一例を示す図
【図４５】青空照明付きダイニングキッチンの調理中における照明モードの一例を示す図
【図４６】青空照明付きダイニングキッチンの食事中における照明モードの一例を示す図
【図４７】青空照明付きダイニングキッチンの時間連動モードにおける制御シーケンスの一例を示すフローチャート
【図４８】青空照明付きダイニングキッチンの天気連動モードにおける制御シーケンスの一例を示すフローチャート
【図４９】エッジ制御システムによる青空照明付き寝室の一例を示す図
【図５０】クラウド制御システムによる青空照明付き寝室の一例を示す図
【図５１】青空照明付き寝室の照明モードの一例を示す図
【図５２】青空照明付き寝室の時間連動モードにおける制御シーケンスの一例を示すフローチャート
【図５３】青空照明付き寝室の天気連動モードにおける制御シーケンスの一例を示すフローチャート
【図５４】エッジ制御システムによる青空照明付きオフィスの一例を示す図
【図５５】クラウド制御システムによる青空照明付きオフィスの一例を示す図
【図５６】青空照明付きオフィスの照明モードの一例を示す図
【図５７】青空照明付きオフィスの地域連動制御の一例を示す図
【図５８】青空照明付き地下店舗の一例を示す図
【図５９】青空照明付き地下店舗における制御パターンの一例を示す図
【図６０】青空照明付き窓の一例を示す図
【図６１】青空照明付き窓の制御システムの一例を示す図
【図６２】航空機窓における青空照明付き窓の制御の一例を示す図
【図６３】青空照明付き窓のデマンド制御の一例を示す図
【図６４】青空照明付き窓のデマンド制御による空調負荷削減の一例を示す図
【図６５】青空照明付き窓のデマンド制御におけるＩｏＴデータの一例を示す図
【図６６】青空照明付き窓のデマンド制御におけるデマンドデータの一例を示す図
【図６７】青空照明付き窓のデマンド抑制モードにおける制御シーケンスの一例を示すフローチャート
【図６８】天窓としての青空照明付き窓についての天気連動制御の一例を示す図
【図６９】青空照明による星空の再現の一例を示す図
【図７０】青空照明による星空の再現の一例を示す図
【発明を実施するための形態】
【００１３】
以下、図面を参照しながら、本発明の実施の形態に係る照明システムを説明する。各図面においては、同一又は同等の部分に同一の符号を付す。
【００１４】
各実施の形態に係る照明システムを説明する前に、各実施の形態にて使用される照明装置の一例を説明する。当該照明装置は、天空を模倣して空間を照明する照明装置である。
【００１５】
（照明装置）
図１を参照しながら、照明装置２を説明する。照明装置２は、制御部２１と通信部２２と発光部２３と導光板２４と反射板２５と第２発光部２８と拡散板２９とを備える。照明装置２は、発光部２３から導光板２４に照射された照射光Ｌ１が導光板２４内でレイリー散乱をすることにより生じた散乱光Ｌ２により、照明装置２が設けられた空間（以下、照明空間という）を照明する。詳細は後述するが、散乱光Ｌ２の散乱箇所は不定であり散乱光Ｌ２の輝点が一定とならないため、散乱光Ｌ２を発する導光板２４を見た者は天空のような奥行き感を感じることができる。また、詳細は後述するが、照明装置２は、散乱光Ｌ２の色温度を制御することができる。したがって、照明装置２により青空、夕焼けなどの天空を模倣することができる。照明装置２は、本発明に係る照明装置の一例である。
【００１６】
以下、より詳細に照明装置２を説明する。なお、導光板２４は直方体状であり、図１における上下方向は導光板２４の厚さ方向であり、図１における左右方向は導光板２４の長手方向であるものとする。導光板２４は、例えば縦幅１．２メートル、横幅０．７メートル、高さ１０センチメートル程度の直方体状である。また、照明装置２は、図１における下方向に照明空間を照明するものとする。
【００１７】
制御部２１は、通信部２２が受信した信号に基づいて発光部２３及び第２発光部２８を制御する。具体的には、制御部２１は、通信部２２が受信した信号に基づいて、発光部２３及び第２発光部２８による発光のオン・オフの制御、発光部２３が発光する照射光Ｌ１及び第２発光部２８が発光する第２照射光ＬＳの輝度及び色温度の制御などを行う。なお、詳細は後述するが、レイリー散乱により、散乱光Ｌ２の色温度は照射光Ｌ１の色温度よりやや高くなる。そのため、例えば、通信部２２が受信した信号が散乱光Ｌ２を所望の色温度にすることを示す信号である場合、制御部２１は、照射光Ｌ１の色温度が所望の色温度よりやや低い色温度となるように発光部２３を制御する。
【００１８】
通信部２２は、制御部２１が発光部２３を制御するために必要な情報を含む信号を受信する。具体的には、通信部２２は、照明のオン・オフの指令を示す信号、輝度設定の指令を示す信号、色温度設定の指令を示す信号などを受信する。通信部２２は、例えば照明装置２を制御する照明制御装置と接続される通信インタフェースである。
【００１９】
発光部２３は、照射光Ｌ１を長手方向に発し導光板２４に照射する。発光部２３は、制御部２１の制御に基づいて、照射光Ｌ１の輝度及び色温度を調整することができる。発光部２３は、例えば赤色ＬＥＤ（Light Emitting Diode）、緑色ＬＥＤ及び青色ＬＥＤを備え、各色ＬＥＤの輝度を調整することにより、照射光Ｌ１の色温度を調整することができる。ただし、赤色の光、緑色の光及び青色の光のみが混合された光は演色性に乏しいため、発光部２３は、演色性に優れた白色ＬＥＤをさらに備えてもよい。
【００２０】
導光板２４は、発光部２３から照射された照射光Ｌ１を散乱し、散乱光Ｌ２により照明空間を照明する。導光板２４は、例えば、アクリル、ガラスなど透光性を有する素材の内部に光の波長より径の小さい微粒子を拡散させることにより製造される。このように製造された導光板２４に照射された照射光Ｌ１は、レイリー散乱により散乱される。レイリー散乱とは、光が自身の波長より径の小さい微粒子により散乱される現象をいう。なお、導光板２４に入射する照射光Ｌ１のうち、散乱されずに導光板２４を透過した透過光ＬＴは、拡散板２９に入射する。
【００２１】
レイリー散乱では、青色の光、紫色の光など波長の短い光ほど散乱されやすいという特徴がある。そのため、散乱光Ｌ２は照射光Ｌ１より青色になる、つまり色温度が高くなる。例えば、照射光Ｌ１が色温度７０００Ｋ程度の白色光であるとき、白色光に含まれる青色の光は散乱されやすく、照明空間にいる者の目によく届く。一方、白色光に含まれる赤色の光、緑色の光など波長の長い光は散乱されにくく、照明空間にいる者の目にあまり届かない。したがって、照射光Ｌ１が色温度７０００Ｋ程度の白色光であるとき、照明空間にいる者の目には導光板２４が青く見える。言い換えると、散乱光Ｌ２の色温度は、レイリー散乱により照射光Ｌ１の色温度より高くなる。散乱光Ｌ２の色温度は、例えば１１０００Ｋ程度である。なお、このとき、散乱されずに導光板２４を透過した透過光ＬＴの色温度は、照射光Ｌ１の色温度より低くなる。
【００２２】
また、微粒子は導光板２４内の随所に拡散されているため、散乱光Ｌ２の散乱箇所は不定であり散乱光Ｌ２の輝点が一定とならない。そのため、散乱光Ｌ２を発する導光板２４を見た者は天空のような奥行き感を感じることができる。したがって、例えば照射光Ｌ１が色温度７０００Ｋ程度の白色光であるとき、照明空間にいる者は、導光板２４が青色に見え、かつ天空のような奥行き感を感じる、つまり青空を体感することができる。言い換えると、照明装置２により青空を模倣することができる。
【００２３】
また、例えば照射光Ｌ１が色温度１２００Ｋ程度の赤色の光であるとき、照射光Ｌ１にはそもそもあまり青色の光が含まれておらず、赤色の光が多く含まれている。このとき、散乱光Ｌ２の色温度は多少高くなるものの、例えば橙色に相当する２５００Ｋ程度である。したがって、照射光Ｌ１の色温度を１２００Ｋ程度とすることにより、夕焼けを模倣することができる。
【００２４】
同様に、照射光Ｌ１の色温度が例えば４０００Ｋ程度の黄色の光であるとき、散乱光Ｌ２は例えば色温度が６０００Ｋ程度の白色光となる。したがって、照射光Ｌ１の色温度を４０００Ｋ程度とすることにより、曇り空を模倣することができる。
【００２５】
反射板２５は、導光板２４の上面に設けられ、図１における上方向に散乱した光を反射する。反射板２５を設けることにより、照明する方向とは逆方向に散乱する光を反射し、効率よく照明をすることができる。
【００２６】
第２発光部２８は、拡散板２９に第２照射光ＬＳを照射する。第２発光部２８は、発光部２３と同様に、制御部２１の制御に基づいて、第２照射光ＬＳの輝度及び色温度を調整することができる。制御部２１は、拡散板２９上にて混色される透過光ＬＴと第２照射光ＬＳとの混色光が、例えば色温度５０００Ｋ程度の白色となるように第２発光部２８を制御する。
【００２７】
拡散板２９は、透過光ＬＴ及び第２照射光ＬＳを拡散する拡散板であり、例えばすりガラス状の拡散板である。拡散板２９は、例えば照明装置２の枠部分（当該枠部分は、「器具」あるいは「器具部分」とも呼ばれる）の一辺を構成する。制御部２１の制御により、拡散板２９上にて混色される光は白色となる。
【００２８】
拡散板２９及び第２発光部２８により、照明装置２の枠部分に白色の光が反射しているように見える。したがって、天空を模倣する照明装置２により、天空から日射が差し込み枠部分に日光が反射する様子も再現できる。つまり、照明装置２により、日射の差し込みを再現できる。
【００２９】
なお、第２発光部２８及び拡散板２９は、日射の差し込みを再現するものの、天空を模倣するものではない。したがって、照明装置２は、必ずしも第２発光部２８及び拡散板２９を必須としない。以下の説明では、特段の断りが無い限り、これらについては記載しないものとする。
【００３０】
（通常の照明との併用）
以上、照明装置２を説明した。照明装置２によれば、青空、曇り空、夕焼けなどの天空を模倣して照明空間を照明することができる。ただし、図１に示す照明装置２単独では、天空を模倣しない通常の照明をすることができない。そのため、例えば、図１に示す照明装置２に、さらに通常の照明をする蛍光灯、白色ＬＥＤなどの発光体を設けてもよい。なお、通常の照明をする場合、制御部２１は、発光部２３による発光をオフにすることが好ましい。
【００３１】
また、例えば、図２に示す構成により、照明装置２による通常の照明を可能にしてもよい。図２に示す照明装置２は、反射板２５を備えず、通常照明部２６を備える。また、制御部２１は発光部２３のみならず通常照明部２６も制御する。通信部２２は、通常照明部２６を制御するために必要な情報を含む信号も受信する。
【００３２】
通常照明部２６は、蛍光灯、白色ＬＥＤなど通常の照明をする発光体を備える。当該発光体からは通常光Ｌ３が発せられる。通常照明部２６は、例えば図２における、導光板２４の上方に設けられる。図２では導光板２４と通常照明部２６とは離間しているが、接触していてもよい。通常照明部２６から発せられた通常光Ｌ３は、ほとんど散乱されることなく導光板２４を透過し照明空間を照明する。通常光Ｌ３がほとんど散乱されないのは、導光板２４の厚さ、つまり高さ方向の長さが、導光板２４の長手方向の長さに比べてはるかに短いからである。
【００３３】
図２に示す構成により、照明装置２は、発光部２３による発光をオンにして通常照明部２６による発光をオフにすることにより天空を模倣しつつ、発光部２３による発光をオフにして通常照明部２６による発光をオンにすることにより通常の照明もすることができる。
【００３４】
以下の実施の形態１から５で使用される照明装置２は、通常の照明もすることができるものとするが、照明装置２の構成は図２に示すものに限られない。また、通常の照明をすることができない照明装置２であっても、通常光を発することができないという点を除いて各実施の形態で使用可能であるものとする。
【００３５】
（窓としての使用）
また、図１に示す照明装置２の変形例として、図３に示す照明装置２Ｗが考えられる。照明装置２Ｗは、実施の形態６から８で使用される。照明装置２Ｗは、図１に示す照明装置２と比べて、反射板２５に代えて液晶シャッタ２７Ｗを備える点、制御部２１が液晶シャッタ２７Ｗも制御する点及び通信部２２が液晶シャッタ２７Ｗを制御するために必要な情報を含む信号も受信する点が異なる。
【００３６】
液晶シャッタ２７Ｗは、制御部２１の制御により開閉し外光を遮蔽するか否かを切り替える。図３にて液晶シャッタ２７Ｗが網状に塗りつぶされているのは、液晶シャッタ２７Ｗが閉じていることを示す。また、後述の図４にて液晶シャッタ２７Ｗが塗りつぶされていないのは、液晶シャッタ２７Ｗが開いていることを示す。液晶シャッタ２７Ｗは、本発明に係る遮蔽手段の一例である。なお、液晶シャッタに代えて機械式のシャッタも遮蔽手段として採用可能である。
【００３７】
例えば図４に示すように、液晶シャッタ２７Ｗが開いている場合、外光Ｌ４は導光板２４を透過する。外光Ｌ４とは、照明装置２Ｗの外部から入射する光である。図２に示す場合と同様、導光板２４の高さ方向の長さは長手方向の長さよりはるかに短いため、外光Ｌ４はほとんど散乱しない。したがって、照明装置２Ｗは、液晶シャッタ２７Ｗを開き発光部２３による発光をオフにすることで窓として使用可能であり、かつ液晶シャッタ２７Ｗを閉じ発光部２３による発光をオンにすることで天空を模倣する照明として使用可能である。この場合、導光板２４は、外光Ｌ４を透過して照明空間に導光する、といえる。導光板２４は、本発明に係る透過部の一例である。
【００３８】
例えば、照明装置２Ｗを住宅に設けられた開口部にはめ込む場合を考える。この場合、液晶シャッタ２７Ｗを開き、発光部２３による発光をオフにすると、住宅にいる者は導光板２４を介して外の景色を見ることができる。液晶シャッタ２７Ｗを閉じ、発光部２３による発光をオンにすると、住宅にいる者は、天空が模倣された導光板２４を見ることができる。
【００３９】
以上、照明装置２及び照明装置２Ｗを説明した。以上をまとめると、照明装置２及び照明装置２Ｗによれば、天空を模倣して照明空間を照明することができる。また、照明装置２Ｗによれば、窓としての使用もすることができる。以下、各実施の形態を説明する。なお、各実施の形態では、照明装置２及び照明装置２Ｗの通信部２２は、後述の照明制御装置３と接続され、照明装置２及び照明装置２Ｗは照明制御装置３により制御される。
【００４０】
（照明装置の詳細）
図３０は本青空照明と、通常の導光板照明をより具体的に比較した図であり、図において９０１はＬＥＤ光源、９０２は導光板、９０３は拡散板、９０４は微細プリズムもしくは印刷等で構成された光拡散部、９０５はレイリー散乱粒子を含む青空照明用導光板である。なお、青空照明とは、青空を含む天空を模倣する照明のことであり、本発明に係る照明装置の一例である。ここで通常照明の場合は、導光板内で反射を繰り返した光は拡散板を介して室内に導光されるものの、通常の拡散板の粒子密度は導光板９０５内のレイリー散乱用粒子の密度より荒いため、照明を見る者に発光の輝点が認識され、この輝点に対する視野角が発生するため、照明を見る者は発光距離を感じてしまう。また、導光板と拡散板との光学特性により発光方向に対し均等でない発光強度分布を有するため、視点の位置を動かす事による強度変化によって、照明を見る者は同様に発光距離を感じてしまう。
【００４１】
一方青空照明の場合は視認できない小さな拡散粒子が発光し、また視点を変えても本発光での強度変化を感じる事ができないため、自然の青空を見上げた場合と同様に、照明を見る者は発光部分の距離感を感じる事ができず、すなわち非常にすぐれた奥行き感を持たせる事が可能となる。そこで、この青空照明を実際の家やビルで使用する際は、自然界に存在する屋外の雰囲気や、実際の窓のように自然光を取り入れている採光部材をいかに模擬するように制御するかが、実用上のポイントとなっている。また、光環境だけではなく、空気環境などと合わせる事で自然の中にいる感覚に近づける事で、リラクゼーション効果や生活のリズムなどを正常に保つ効果が期待されている。これらの自然環境再現を実現するため青空照明器具を用いた制御方法について述べる。
【００４２】
また、青い光は人間の体内時計をリセットするような効果が知られている他、淡い暖色系の光にはリラックス効果がある事も知られている。これは人間が電灯の無い時代から光とともに朝起きるといった、生物学的習性からきていると思われるが、本発明の青空照明も自然環境をより忠実に再現する空間演出のための機器であり、具体的な空間演出ソリューションを実現するための制御システム構成や制御方法について、これら体内時計のリセットや目覚め、リラックス効果等をより有効に提供する手段として説明する。
【００４３】
図３２は、青空照明器具の構成で青空発光している場合をより詳細に見たもので、図において９１１は照明電源部、９１２は照明制御部、９１４は宅内コントローラ、９１９は導光板周辺に構成された器具、９２１は色温度を示す図である。また、図３３は夕焼け発光している場合の青空照明器具の構成を詳細に見たものである。また、図３４は実際の家にある天窓がどのような発光状態で見えるか、図３５は夕焼けの時間帯に同じ天窓がどのように見えるかを示した図である。
【００４４】
図３４に示すように実際の天窓では、窓ガラスごしに青空９２５（９２２）が見える一方、窓から直接見える部分ではない角度から差し込む太陽９２３の光９２６により窓枠が照らされ青空とは別の色温度となっており、このような状況がよくある光景となっている。また夕焼けの場合も図３５のような状態となり、夕焼け空９２８を直接見る窓ガラスごしの風景９３０と、窓枠に差し込む夕焼け時の太陽９２９の光９３１は別の色温度となっている。
【００４５】
図３２に示すように、青空照明器具では、青空導光板からのレイリー散乱光とは別に、窓枠に相当する照明器具の部分９１９を発光させるため、実際の窓や天窓のような光状態を忠実に再現する事が可能となる。ＡからのＬＥＤ光は導光板９０５を介してレイリー散乱光を生じ、ロとして照らすが、散乱せずに残った光は赤方向にシフトしハとして周辺器具を発光させている。またＢのＬＥＤ光の色温度を調節する事で、ハ＋ニの光が周辺器具から発光される。ここで一般の家庭にある天窓と同じように、ロの光をレイリー散乱による青空発光、周辺の窓枠相当の部分にハ＋ニで太陽光の色温度に調整した光を発光させる事で、実際の天窓と同じような発光を再現する事ができる。ここで、器具側にはある角度から太陽が差し込む状況をよりリアルに再現するため、遮光板等により影を作る事が望ましい。
【００４６】
このような構成により、天窓のガラス部分はレイリー散乱による奥行き感のある青空を再現し、窓枠部分には太陽光の差し込みを忠実に再現できる。また、夕焼けの場合でも、レイリー散乱部分を夕焼け空とし、窓枠に相当する器具部分に夕焼け時の太陽光の差し込みを再現する色温度となっている。
【００４７】
ここで、各色温度の関係は、実際の自然光と青空照明とで以下のように同じであり、レイリー散乱部分の青空は太陽光より青方向に、夕焼けは赤方向にシフトした色温度設定となる。
通常の青空の場合（図３２）の各光の色温度の関係：
レイリー散乱導光板ＬＥＤ入力部（イ）＝青空発光（ロ）＋導光板側面もれ光（ハ）
自然の太陽光（ホ）＝｛（ハ）＋器具側ＬＥＤ光（ニ）｝＜青空発光（ロ）
夕焼け空の場合（図３３）の各光の色温度の関係：
レイリー散乱導光板ＬＥＤ入力部（ト）＝夕焼け発光（チ）＋導光板側面もれ光（リ）
自然の夕方太陽光（へ）＝｛（リ）＋器具側ＬＥＤ光（ヌ）｝＜夕焼け発光（チ）
となり、上記色温度関係を保つように、照明制御部９１２は、各ＬＥＤ９０１、９０２の色温度を制御する。
【００４８】
例えば、室内照明輝度や空間演出の関係で、青空部分と器具部分の調光を行う際、青空部分と器具部分の照明輝度の比率を変えたり（例えば器具部分を暗く青空部分を強くしたり、またはその逆）した場合であっても、実際の天窓の見た目感を変えないため、上記色温度の関係式を維持するように図３２中のＡとＢのＬＥＤ発光色温度の制御を行う。また具体的には、器具にある照明制御部９１２のマイコン等で構成されるＣＰＵにおいて、上記計算式をＳＷで実装してもよいし、あらかじめ照度別やシーン別に設定した、色温度と輝度の設定テーブルを実装し、前記テーブルに記載された設定の組み合わせを選択するようにしてもよい。
【００４９】
また、全体コストを削減するため、図３２のＬＥＤのＢを削除するような構成も考えられる。この場合、器具側の照明は導光板９０５の側面から出てくる光のみを使う構成となるためＬＥＤのＢは不要となるが、側面から出る光の色温度が太陽光の色温度になるようにレイリー散乱用粒子の密度などをあらかじめ調整し作り込んでおく必要がある。この場合、ＬＥＤのＢが無いため、
日中（図３２）：自然の太陽光（ホ）＝（ハ）＜青空発光（ロ）
夕焼け（図３３）：自然の夕方太陽光（へ）＝（リ）＜夕焼け発光（チ）
となるように、レイリー散乱用粒子の密度をあらかじめ設定する。
【００５０】
一方、器具の構造コスト削減のため、導光板側面から器具への反射を行うための光学構造を削除するケースもある。この場合（ハ）や（リ）の光は器具内で捨てられ、
日中（図３２）：自然の太陽光（ホ）＝器具側ＬＥＤ光（ニ）＜青空発光（ロ）
夕方（図３３）：自然の夕方太陽光（へ）＝器具側ＬＥＤ光（ヌ）＜夕焼け発光（チ）
となるようにＬＥＤのＡとＢの色温度を独立に設定する。
【００５１】
このような色温度や発光強度の制御は、図３２又は図３３における電源部９１１と制御部９１２により行われるとともに、宅内コントローラ９１４によってクラウド９２０に接続され、時間や設置位置（地球上の緯度や経度）の情報から、より自然界における環境状態の再現が可能となっている。
【００５２】
この制御システムをより詳細に示した図が図３１で、図において９１３はリモコン、９１４は宅内コントローラ、９１５は通信インタフェース、９１６は全体制御部、９１７はクラウド情報記憶部、９１８はクラウドインタフェース部である。また、９０８は青空照明器具を直接制御するための機器管理クラウドで、９０６は気象情報サーバ、９０７は時間情報を配信するＮＴＰサーバ、９０９はスマートフォンやＡＩスピーカなどのスマートデバイスである。
【００５３】
上述したように青空照明は複数の光源を含む発光体の色温度や強度を調整しながら、自然にある窓や窓枠を再現する事で、よりリアルな窓の状況を再現する事ができるため、制御システムによる調整機能が不可欠である。ここで一般的には照明器具に電源９１１と制御回路９１２が内蔵され、リモコン９１３を介してＯＮ／ＯＦＦや設定変更などがユーザから入力される。ここで制御回路９１２において、前述した色温度の関係となるようＬＥＤのＡと、ＬＥＤのＢの発光強度と色温度を制御するものである。
【００５４】
一方、宅内コントローラ９１４は前記照明器具と通信インタフェース回路９１５で接続され、全体制御部９１６において、いつ青空にするか、夕焼けにするか、通常発光にするか、といった全体のモードを制御するとともに、宅内コントローラ９１４につながっている複数の青空照明器具全体の制御を行うものである。またクラウド上には気象情報クラウド９０６や時間情報を配信するＮＴＰサーバ９０７があり、機器管理クラウド９０８がこれら情報を集約し、宅内コントローラ９１４に情報を配信、クラウド情報記憶部９１７に記憶させて制御条件として使用することとなる。
【００５５】
宅外からの設定変更やＯＮ／ＯＦＦなどの操作は、前記機器管理クラウド９０８にスマートデバイス９０９を接続して使用する。
【００５６】
また、図３１では複数の照明器具の全体制御を宅内コントローラ９１４で行う場合を記載したが、本コントローラ機能を機器管理クラウド９０８内に持たせて直接照明器具を制御する事も可能であり、後述の事例として記載した。
【００５７】
前述したように、本青空照明の一般的な使い方として、自然環境を室内で再現したり、模擬的に自然環境を作り出す事にある事から、本照明器具が設置される場所（緯度と経度）と時間、および設置場所における天気の状態により照明器具の発光モードを変更する制御が行われる。ここでは、設置される場所（緯度と経度）と時間により日の出や日の入り時刻を定めこれに従って青空から夕焼け、星空といった自然界との連動を行う方法があり、以下では時間連動モードと呼ぶ。また設置場所の天気情報からこれに合わせる方法もあり、以下では天気連動モードと呼ぶ。これら時間連動と天気連動の両方に合わせる事も可能であり、屋外の光環境に忠実に合わせる事も可能となる。また時間連動だけであれば外の天候に関係なく、例えば常に日中は青空とする事も可能である。
【００５８】
宅内コントローラ９１４の制御モードとしては図３６に示すようなモードが存在する。
１．時間連動モード：
郵便番号もしくは住所と日時情報により、照明設置地域（緯度経度）の日の出日の入り時刻に合わせて青空照明の発光モードを変更する。
２．天気連動モード：
その日の気象情報より、晴れ・曇り・雨の状態に合わせて青空照明の発光モードを変更する。
３．機器連動モード：
風呂機器・キッチン家電・空調暖房機器・換気機器などの操作運転情報により、照明以外の機器の状態に連動して発光モードを変更する。
４．システム連動モード：
入退場管理システム、エレベータ管理システム、在不在管理システム、などの状態に合わせて発光モードを変更する。
５．上記１〜４の組み合わせ
【００５９】
また、上記１．２．４．の具体的制御内容としては図３７に示す制御が行われる。
１．時間連動モード：
照明設置地域（緯度経度）の日の出日の入り時刻に合わせて青空照明の発光モードを変更し、日中は、導光板：青み、器具：白色として、輝度が変わっても器具白色を維持させる。また夕焼け時、朝焼け時は、導光板：赤み、器具：白色に寄った赤み、とする。また、導光板は空の色温度を再現、器具は太陽光を含む白色の反射光を再現し、
・晴れの日中：導光板は青く（この色温度をＡとする）、器具は日中の太陽反射（白色）を再現（この色温度をＢとする）
・夕方：導光板は赤み方向へ徐々にシフト（この色温度をＣとする）、器具は夕日を浴びた太陽反射光として白色方向に寄った赤み（この色温度をＤとする）
・色温度の関係：  赤＜Ｃ＜Ｄ＜Ｂ＜Ａ＜青  を維持
となるように光源を制御する。
２．天気連動モード：
その日の気象情報より、晴れ・曇り・雨の状態に合わせて青空照明の発光モードを変更し、晴れでは導光板：青み、器具：白色、曇り雨では導光板：暗い白色、器具：暗い白色、とする。
３．システム連動モード：
入退場管理システム、エレベータ管理システム、在不在管理システム、の状態に合わせて発光モードを変更し、例えば就業中は日中の晴れの色温度とし、帰宅推奨時は夕焼けの色温度とする。
【００６０】
また、発光モードにおいて星空を再現する場合があり、この場合の構造は図６９及び図７０に示すような構成になる。ここで図６９の場合は、背面に星空の星を光らせるための別の導光板１０８５を有するもので、星空発光用ＬＥＤ９０１からの光を導光板１０８５に入れ、導光板上にある凹凸パターンもしくは印刷パターン、もしくは気泡のような導光板樹脂と屈折率の異なる部分に光を通す事で、星空のような微小なキラキラした光を得る事が可能となる。これをレイリー散乱導光板９０５に透過距離の短い垂直方向から通す事で、透過時にレイリー散乱の影響を受けずに発光し視認する事が可能となる。この場合レイリー散乱導光板を使った青空発光をＯＦＦにしてもよく、逆にレイリー散乱導光板での照度を落とした薄暗い空や、暗くなった夕焼け空にかぶせる事も可能である。
【００６１】
また、図６９に示す変形例のように星空導光板を円板状に構成し、回転させる事で天空の星の動きに合わせる対応も可能となる。また、さらに平面上の星空導光板をスライドするような構成にしてもよい。
【００６２】
また、図７０のように液晶表示パネル１０８８と液晶表示導光板１０８７と、液晶表示ドライバ１０８９と映像処理部１０９０によって、液晶表面に直接星空を描画させてもかまわない。この場合は月の表示など表示コンテンツによって、時間とともに星の位置を動かしたり、実際の星や月が窓の方向から見えるものを疑似的に再現したりするなど、自在な表現も可能である。
【００６３】
また、本青空照明は、発光していない場合導光板自体が透明なため、窓として活用する事が可能である。この青空照明機能付き窓については図６０に示すような構成となる。ここで青空発光用ＬＥＤと器具９１９側発光用ＬＥＤ９０１、レイリー散乱導光板９０５は前述する青空照明器具と同じ構成であるが、背面に液晶シャッタを有するもので、この液晶シャッタを閉じた状態にすれば青空照明として機能し、液晶シャッタを開き、照明機能をＯＦＦにすれば窓として機能するものである。なお、ここで液晶シャッタの代わりに実際の機械式シャッタでも同じ効果が得られる。
【００６４】
（実施の形態１）
図５を参照しながら、実施の形態１に係る照明システム１を説明する。実施の形態１に係る照明システム１は、浴室に設けられた照明装置２により浴室を照明するとともに、浴室に設けられた他の機器の制御もする照明システムである。照明システム１は、照明装置２と浴室空調機１１と給湯機１２と照明制御装置３と気象サーバ４とを備える。照明制御装置３は、照明装置２、浴室空調機１１及び給湯機１２と通信可能に接続されている。照明制御装置３は、インターネットＮＴを介して気象サーバ４と通信する。照明システム１は、本発明に係る照明システムの一例である。
【００６５】
照明装置２は、例えば浴室の天井に設置され、照明制御装置３の制御に基づいて、天空を模倣しつつ浴室を照明する。照明装置２により、入浴者は、入浴中に天空を体感することができる。
【００６６】
浴室空調機１１は、例えば浴室の天井に設置され、照明制御装置３の制御に基づいて浴室を空調する。特に、浴室空調機１１は、浴室に送風をする。ここでいう空調とは、冷暖房に限られず、例えば換気、衣類の乾燥等のための送風のみをするものであってもよい。したがって、冷暖房機のみならず、浴室乾燥機、換気扇なども浴室空調機１１に該当し得る。浴室空調機１１は、本発明に係る機器、空調装置及び浴室空調機の一例である。
【００６７】
照明装置２により天空を模倣しつつ、浴室空調機１１により浴室に送風をすることで、入浴者は、天空と風を体感できる。また、風により、空気と触れている湯の表面の温度と内部の温度との間に、実際の露天風呂と同様にある程度の温度差が生じる。そのため、入浴者は、あたかも露天風呂にいるような体験をすることができる。一方、浴室空調機１１による送風がない場合、入浴者は、天空を体感することはできるものの、風がないのであくまで屋内から空を見ているような体験をすることとなり、露天風呂にいるような体験をすることはできない。また、照明装置２による天空の模倣がない場合も、やはり露天風呂にいるような体験をすることはできない。照明装置２と浴室空調機１１とにより、入浴者は初めて露天風呂にいるような体験をすることができる。
【００６８】
給湯機１２は、浴室の浴槽に給湯する。給湯機１２は、マイクロバブル発生機能により、炭酸風呂のように泡立たせた湯を浴槽に給湯可能な給湯機である。給湯機１２は、例えばヒートポンプ式の給湯機である。給湯機１２は、本発明に係る機器及び給湯機の一例である。給湯機１２により泡立たせた湯を浴槽に給湯することにより、入浴者は、露天炭酸風呂にいるような体験をすることができる。
【００６９】
照明制御装置３は、照明装置２と浴室空調機１１と給湯機１２とを制御する。詳細は後述するが、照明制御装置３は、例えば、気象サーバ４から気象情報を取得し、天気に連動した空模様を模倣するように照明装置２を制御することができる。また、照明制御装置３は、例えば、現在日時に連動した空模様を模倣するように照明装置２を制御することもできる。照明制御装置３は、例えば照明装置２が設けられた住宅内に設置される。照明制御装置３は、本発明に係る照明制御装置の一例である。
【００７０】
照明制御装置３は、制御部３０と、外部通信部３１と、機器通信部３２と、操作部３３と、を備える。
【００７１】
制御部３０は、照明制御装置３を統括制御する。制御部３０は、図５に示す各機能部を備えるが、これらの各機能部の詳細は後述する。
【００７２】
外部通信部３１は、インターネットＮＴを介して気象サーバ４と通信する。外部通信部３１は、例えば宅内に設けられた図示しないブロードバンドルータと接続されたネットワークインタフェースである。
【００７３】
機器通信部３２は、照明装置２、浴室空調機１１及び給湯機１２と通信する。機器通信部３２は、例えば照明装置２、浴室空調機１１及び給湯機１２と接続された機器通信用インタフェースである。
【００７４】
操作部３３は、ユーザからの操作を受け付け、操作に応じた信号を制御部３０に出力する。操作に応じた信号とは、例えば照明のオン・オフ、浴室空調のオン・オフ、給湯の開始・停止、後述の連動モードの切り替えなどの指示を示す信号である。ここでいうユーザとは基本的には入浴者である。ただし、操作部３３は、入浴者以外の者によっても操作され得るものであってもよい。操作部３３は、例えば浴室の入口に設けられた壁掛けリモコンである。
【００７５】
連動モードとは、照明装置２により模倣される天空の空模様を、現在日時及び天気と連動させるか否かを示すモードである。以下では現在日時と連動させるモードを時間連動モード、天気と連動させるモードを天気連動モードという。これらのモードについては、双方をオンにすることも双方をオフにすることも可能である。例えば、時間連動モードのみがオンであり現在日時が４月の１２時頃である場合、照明制御装置３の制御により照明装置２は青空を模倣する。同様に、例えば、天気連動モードのみがオンであり天気が曇りである場合、照明制御装置３の制御により照明装置２は曇り空を模倣する。また、例えば、時間連動モードと天気連動モードの双方がオンであり、現在日時が１２月の１６時頃であり天気が晴れである場合、照明制御装置３の制御により照明装置２は夕焼けを模倣する。
【００７６】
気象サーバ４は、気象情報を照明制御装置３に送信する。気象サーバ４は、例えば気象庁により運営され、全国の気象情報を提供するサーバである。気象サーバ４は、例えば照明制御装置３に割り当てられたＩＰ（Internet Protocol）アドレスに基づいて照明制御装置３の設置された地域を特定し、当該地域の気象を示す気象情報を照明制御装置３に送信する。なお、照明制御装置３の設置された地域の特定方法については、ＩＰアドレスによるもののほか、例えば、照明制御装置３にＧＰＳ（Global Positioning System：全地球測位システム）受信機を設けるものであってもよいし、照明制御装置３の設置時に業者が照明制御装置３の設置された地域を設定登録するものであってもよい。
【００７７】
次に、照明制御装置３の制御部３０の各機能部を説明する。制御部３０は、気象情報取得部３０１と、日時取得部３０２と、色温度決定部３０３と、照明制御部３０４と、空調制御部３０５と、給湯制御部３０６と、を備える。
【００７８】
気象情報取得部３０１は、外部通信部３１を介して気象サーバ４から気象情報を取得する。気象情報取得部３０１は、例えば、現在日時における気象のみを示す気象情報を取得してもよいし、現在日時を含む１日分の気象を示す気象情報を取得してもよい。
【００７９】
日時取得部３０２は、現在日時を取得する。日時取得部３０２は、例えば、照明制御装置３に設けられた図示しないリアルタイムクロックから現在日時を取得してもよいし、インターネットＮＴ上に存在する図示しない時刻サーバから外部通信部３１を介して現在日時を取得してもよい。
【００８０】
色温度決定部３０３は、照明装置２により模倣される天空の色温度、つまり散乱光Ｌ２の色温度を決定する。例えば、色温度決定部３０３が色温度を２５００Ｋと決定したとき、照明装置２により模倣される天空の色温度は２５００Ｋとなり、照明装置２により夕焼けが模倣される。ただし、照明装置２が通常光による照明をすることができるものである場合、色温度決定部３０３は、照明装置２が天空を模倣せずに通常光による照明をすべきことも決定し得る。色温度決定部３０３は、本発明に係る色温度決定手段の一例である。
【００８１】
色温度決定部３０３は、例えば、気象情報取得部３０１により取得された気象情報と、日時取得部３０２により取得された現在日時とに基づいて、図６に示すパターンにしたがって色温度を決定する。図６に示す「（青空）」「（曇り空）」「（夕焼け）」の記載は、色温度に対応して模倣される空模様を示す。
【００８２】
図６に示す各行は、現在日時ごとに色温度をどのように決定すべきかを示す。ただし、「日中」「夕方」「夜間」の各行は時間連動モードがオンのときにのみ適用され、時間連動モードがオフのときは「時間連動オフ」の行のみが適用される。なお、「夜間」の行にて示されている「（通常光、日中再現など）」の記載は、天空を模倣せずに通常光による照明をしてもよいし、「日中」と同様の色温度を決定してもよいことを示す。照明装置２が、通常光による照明をすることができないものである場合は、日中再現をすればよい。
【００８３】
図６に示す各列は、天気ごとに色温度をどのように決定すべきかを示す。ただし、「晴れ」「曇り・雨」の各列は天気連動モードがオンのときにのみ適用され、天気連動モードがオフのときは「天気連動オフ」の列のみが適用される。したがって、図６に示すパターンの場合、時間連動モード、天気連動モードの双方がオフの場合、色温度は常に１１０００Ｋとして決定される。
【００８４】
なお、図６に示すパターンはあくまで一例であり、色温度決定部３０３は、必ずしも図６に示すパターンに基づいて色温度を決定しなくともよい。例えば、天気が曇りであっても夕方のときには色温度を２５００Ｋとして決定してもよいし、時間連動モード、天気連動モードの双方がオフの場合に色温度を２５００Ｋとして決定してもよい。
【００８５】
また、時間連動モードにおいて、現在日時のみではなく照明装置２の設置位置も考慮した制御を行ってもよい。例えば照明装置２の設置時に、照明装置２の設置位置の緯度及び経度を示す情報を照明制御装置３に登録し、当該設置位置における各日の日の出時刻及び日の入り時刻を算出し、日の出時刻及び日の入り時刻に対応して色温度を決定してもよい。
【００８６】
照明制御部３０４は、色温度決定部３０３により決定された色温度と、操作部３３が出力した信号とに基づいて、機器通信部３２を介して照明装置２を制御する。例えば、色温度決定部３０３が色温度を１１０００Ｋと決定した場合、照明制御部３０４は、照明装置２から生じる散乱光Ｌ２の色温度が１１０００Ｋとなるように照明装置２を制御する。また、例えば、ユーザが操作部３３により輝度を上げる操作をしたとき、照明制御部３０４は、照明装置２の照明の輝度を上げる制御をする。なお、色温度決定部３０３が、通常光による照明をすべきことを決定したとき、照明制御部３０４は、照明装置２が通常光による照明をするように照明装置２を制御する。照明制御部３０４は、本発明に係る照明制御手段の一例である。
【００８７】
空調制御部３０５は、機器通信部３２を介して浴室空調機１１を制御し、浴室に送風をする。空調制御部３０５は、例えば、照明制御部３０４が照明装置２をオンにする照明制御と連動して送風を開始するように浴室空調機１１を制御する。空調制御部３０５は、本発明に係る機器制御手段の一例である。
【００８８】
給湯制御部３０６は、機器通信部３２を介して給湯機１２を制御し、浴槽に泡立たせた湯を給湯する。給湯制御部３０６は、例えば、照明制御部３０４が照明装置２をオンにする照明制御と連動して泡立たせた湯の給湯を開始するように給湯機１２を制御する。なお、浴槽への湯張りのための給湯については、照明装置２のオン・オフとは無関係に行われてもよい。給湯制御部３０６は、本発明に係る機器制御手段の一例である。
【００８９】
以上、照明システム１の構成を説明した。次に、照明制御装置３のハードウェア構成の一例について、図７を参照しながら説明する。図７に示す照明制御装置３は、例えばパーソナルコンピュータ、マイクロコントローラなどのコンピュータにより実現される。
【００９０】
照明制御装置３は、バス１０００を介して互いに接続された、プロセッサ１００１と、メモリ１００２と、インタフェース１００３と、二次記憶装置１００４と、を備える。
【００９１】
プロセッサ１００１は、例えばＣＰＵ（Central Processing Unit：中央演算装置）である。プロセッサ１００１が、二次記憶装置１００４に記憶された動作プログラムをメモリ１００２に読み込んで実行することにより、照明制御装置３の各機能が実現される。
【００９２】
メモリ１００２は、例えば、ＲＡＭ（Random Access Memory）により構成される主記憶装置である。メモリ１００２は、プロセッサ１００１が二次記憶装置１００４から読み込んだ動作プログラムを記憶する。また、メモリ１００２は、プロセッサ１００１が動作プログラムを実行する際のワークメモリとして機能する。
【００９３】
インタフェース１００３は、例えばシリアルポート、ネットワークインタフェースなどのＩ／Ｏ（Input/Output）インタフェースである。インタフェース１００３により、外部通信部３１及び機器通信部３２の機能が実現される。
【００９４】
二次記憶装置１００４は、例えば、フラッシュメモリ、ＨＤＤ（Hard Disk Drive）、ＳＳＤ（Solid State Drive）である。二次記憶装置１００４は、プロセッサ１００１が実行する動作プログラムを記憶する。
【００９５】
なお、後述の他の実施の形態及び変形例に係る照明制御装置３も、図７に示す構成と同様のハードウェア構成をとり得る。
【００９６】
次に、図８を参照しながら、照明制御装置３による機器制御の動作の一例を説明する。図８に示す動作は、例えばユーザが操作部３３を操作して照明をオンにする操作をしたときに開始される。なお、現在の季節が冬である場合、気象情報から得られる気温が低い場合など、浴室の室温が低いことが想定される場合には、事前に浴室空調機１１による暖房をしてもよい。「事前」とは、ユーザが入浴する前のことであり、例えば給湯機１２による湯張りが行われるタイミングである。
【００９７】
照明制御装置３の制御部３０の色温度決定部３０３は、時間連動モード及び天気連動モードのオン・オフに応じて、色温度を決定する（ステップＳ１０１）。例えば、上述したように、色温度決定部３０３は、図６に示すパターンに応じて、時間連動モードがオンのとき日時取得部３０２により取得された現在日時に基づいて色温度を決定し、天気連動モードがオンのとき気象情報取得部３０１により取得された気象情報に基づいて色温度を決定する。
【００９８】
制御部３０の照明制御部３０４は、ステップＳ１０１にて決定された色温度に基づいて照明装置２を制御する（ステップＳ１０２）。制御部３０の空調制御部３０５は、浴室に送風をするように浴室空調機１１を制御する（ステップＳ１０３）。制御部３０の給湯制御部３０６は、泡立たせた湯を浴槽に給湯するように給湯機１２を制御する（ステップＳ１０４）。
【００９９】
制御部３０は、操作部３３からの信号を確認し、ユーザにより照明をオフにする操作がされたか否かを判定する（ステップＳ１０５）。照明をオフにする操作がされていないとき（ステップＳ１０５：Ｎｏ）、制御部３０は、ステップＳ１０１からの動作の流れを繰り返す。
【０１００】
照明をオフにする操作がされたとき（ステップＳ１０５：Ｙｅｓ）、照明制御部３０４は照明装置２を消灯する制御をし、空調制御部３０５は浴室空調機１１による送風を停止する制御をし、給湯制御部３０６は給湯機１２による給湯を停止する制御をする（ステップＳ１０６）。そして制御部３０は、機器制御の動作を終了する。
【０１０１】
以上、実施の形態１に係る照明システム１を説明した。照明システム１によれば、照明装置２により天空を模倣しつつ、浴室空調機１１により浴室に送風をするので、入浴者は、天空と風を体感することができ、あたかも露天風呂にいるような体験をすることができる。また、さらに給湯機１２により泡立たせた湯を給湯することにより、入浴者は、露天炭酸風呂にいるような体験をすることができる。したがって、実施の形態１に係る照明システム１により、天空を模倣する照明装置２を利用したソリューションを実現できる。
【０１０２】
（実施の形態１の変形例１）
実施の形態１において、照明制御装置３は例えば住宅内に設置され、照明装置２、浴室空調機１１及び給湯機１２と接続されるものとした。しかし、照明制御装置３は、例えばインターネットＮＴ上にあるクラウドサーバにより構成され、インターネットＮＴを介して間接的に照明装置２、浴室空調機１１及び給湯機１２を制御するものであってもよい。
【０１０３】
例えば、図９に示すように、照明制御装置３は機器通信部３２及び操作部３３を備えず、外部通信部３１及び住宅内に設けられたコントローラ５を介して照明装置２、浴室空調機１１及び給湯機１２を制御してもよい。コントローラ５は、例えばインターネットＮＴに接続されたＨＥＭＳ（Home Energy Management System）コントローラである。コントローラ５に接続された機器は、コントローラ５を介してインターネットＮＴ上の照明制御装置３から制御される。ユーザは、例えば図示しない携帯端末により、インターネットＮＴを介して照明制御装置３にアクセスすることにより、照明制御装置３を操作することができる。
【０１０４】
なお、後述する他の実施の形態及び変形例に係る照明制御装置３についても同様に、クラウドサーバにより構成され得る。
【０１０５】
（実施の形態１の変形例２）
実施の形態１に係る照明システム１では、給湯機１２により泡立たせた湯を給湯するものとした。しかし、照明システム１において、給湯機１２及び照明制御装置３の給湯制御部３０６は必須ではない。照明装置２による天空の模倣と浴室空調機１１による送風のみによっても、入浴者はあたかも露天風呂にいるような体験をすることができるからである。
【０１０６】
（実施の形態１の変形例３）
実施の形態１に係る照明システム１では、現在日時及び天気に連動して天空を模倣することが可能なものとしたが、これらの連動に関する機能はなくてもよい。例えば、照明制御装置３が外部通信部３１、気象情報取得部３０１及び日時取得部３０２を備えず、色温度決定部３０３は常に色温度を１１０００Ｋとして決定してもよい。
【０１０７】
また、上述の各変形例は、適宜後述の各実施の形態にも適用可能である。
【０１０８】
（実施の形態１の詳細）
図３８は、より詳細にバスユニットの事例を示したもので、青空照明９４４は電源部９３９と制御部９３８により器具の発光が制御されるが、ユニットバスコントローラ９３６にある、通信インタフェース部９３２、全体制御部９３３、クラウド情報記憶部９３４、クラウドインタフェース部９３５により、バスユニット全体としての制御が行われる。ここでは照明以外に、給湯機９４１、給湯機駆動部９４６、給湯機制御部９４７、マイクロバブル発生部９４５からなる風呂のお湯を供給する機能と、浴室の空調を管理するバス換ユニットおよびバス換駆動回路の２つの機器がユニットバスコントローラに接続されている。
【０１０９】
また、図３８に示す制御システムを、クラウド側に持たせた構成を図３９に示す。ここではユニットバスコントローラがクラウド上に構成されており、給湯機９４１やバス換９４３、青空照明器具９４４はそれぞれ通信ＩＦ９５２・９５３・９５４を介して機器管理クラウド９０８に直接接続される構成となっている。この場合、図３８のようなリモコン９４２での操作もあるが、スマートデバイス９０９による宅外操作や別室での操作などが考えられる。
【０１１０】
本青空照明は例えば奥行き感の高いレイリー散乱光と、たとえば窓枠の発光感を再現した天窓表現などにより、バスユニット内でありながら露天風呂の感覚を体感する事ができる他、バス換気ユニットにより室外の空気を風呂ユニットに送る事でバスユニット内の空気も室外の感覚を再現できる。特に実際の露天風呂では比較的冷えた空気により風呂のお湯の温度において空気に触れる表面部分が、内部より低い事も、露天風呂感覚の再現に寄与するため、冷風を風呂表面に吹き付ける事による、露天風呂体感の向上が期待できる。
【０１１１】
図４０において、青空照明付きバスユニットの照明モード設定事例を示す。図の横軸は入浴時の時間帯とその時の天気を示している。縦軸は青空照明やバス換、給湯機の動作モードを示している。この事例では日中再現モードとして、日中晴れの日に入浴する場合は青空照明を発光させて露天風呂とするが、曇り空や雨の場合、輝度を落として灰色として外の状態を再現する。また夕方の場合晴れていれば夕焼けにしたり、曇っていた場合や雨では同様に輝度を落とし灰色とする事で外の状態を再現するような設定方法を図にしている。
【０１１２】
ただし、夜の場合、真っ暗では入浴に支障があるので、通常光による照明をして露天風呂感覚を消すか、時間はずれているものの、青空を再現する照明により露天風呂気分を味わうかをユーザに選択させる。
【０１１３】
また照明制御による工夫として、
・入浴時間が一定値を超えた場合に青空から夕焼けに移行し、ユーザに入浴の終了をうながし、のぼせを防止する。
・給湯機のマイクロバブルをＯＮする事で、炭酸浴での露天風呂の感覚に近いものを再現（この設定をユーザが選択するようにする）。
・冬季など外気温が低い場合に、ヒートショックを抑制するために湯張り中に暖房をＯＮし浴室を温めておく。
などといった制御システムとしての工夫も盛り込んでいる。
【０１１４】
図４１に時間連動モードでのより詳細な制御フローを示す。ここでは、リモコンから給湯ＯＮのステップ９４９が行われた後、湯はりが完了した通知がステップ９５０でリモコンの画面表示や音声でのお知らせにて行われる。この際クラウドでの時間情報や天気・気温などの情報を、別のクラウド情報サイトから入手し、コントローラのクラウド情報記憶部に保存する。この際、冬季で気温が低ければ、バス換暖房をＯＮし浴室を事前に温めておくステップ９５３を介して、さらに浴室準備が完了した旨の通知をステップ９５４で行う。次に時間連動モードがＯＮされているかどうかの判断９５５を介して、時間連動モードの場合、時間とバスユニットが設置された経度と緯度から、日中か夜か、日中でも夜でもない（夕焼けまたは朝焼けの時間帯）かどうかを判断し、これに合わせ青空発光か、夕焼け発光か、星空もしくは通常照明光かの切り替え（ステップ９５８もしくは９５９もしくは９６０）を行う。またユーザが露天風呂モードにセットしている場合は、冷風を浴槽に送風し、露天風呂の感覚（お湯の表面上の空気温度と、お湯の表層温度を下げる）を再現する。
【０１１５】
また、天気連動モード（図４２）の場合では、リモコンから給湯ＯＮのステップ９４９が行われた後、湯はりが完了した通知がステップ９５０でリモコンの画面表示や音声でのお知らせにて行われ、この際クラウドでの時間情報や天気・気温などの情報を、別のクラウド情報サイトから入手し、コントローラのクラウド情報記憶部に保存する。この際、冬季で気温が低ければ、バス換暖房をＯＮし浴室を事前に温めておくステップ９５３を介して、さらに浴室準備が完了した旨の通知をステップ９５４で行う。ここまでは時間連動モードと同じであるが、次にユーザが天気連動モードにセットした場合、判断ステップ９６４で晴れの日かどうかを外部クラウド情報から入手し、晴れであれば青空照明、そうでなければ曇り空を発光させる。後の露天風呂モードで冷風を浴槽に吹き付ける部分は図４１と同様である。
【０１１６】
なお、これらの天気連動と時間連動を複合させる事で、夕方ならば、夕焼け空、夜ならば星空の発光を行わせ、曇りや雨であれば曇り空に設定するなど、屋外の状況をそのまま室内に再現させる事も可能である。
【０１１７】
（実施の形態２）
図１０を参照しながら、実施の形態２に係る照明システム１を説明する。実施の形態２に係る照明システム１は、キッチンに設けられた照明装置２である照明装置２ａとダイニングルームに設けられた照明装置２である照明装置２ｂとを、キッチンに設けられた１以上のキッチン機器１３の使用状況に応じて制御する照明システムである。ただし、実施の形態２において、キッチンの照明装置２ａは通常光による照明が可能であるものとする。また、キッチンとダイニングルームとは隣接しているものとする。以下、実施の形態１と異なる構成を説明する。
【０１１８】
実施の形態２に係る照明システム１は、キッチンの照明装置２ａ、ダイニングルームの照明装置２ｂ及びキッチン機器１３が照明制御装置３の機器通信部３２と接続されている点が実施の形態１と異なる。また、制御部３０は、空調制御部３０５及び給湯制御部３０６を備えず、状態検知部３０７及び判定部３０８を備える点が実施の形態１と異なる。また、操作部３３は、例えばキッチンに設けられたリモコンである点が実施の形態１と異なる。また、照明制御部３０４は、照明装置２ａ及び照明装置２ｂを制御する点が実施の形態１と異なる。また、制御部３０により実行される動作も、実施の形態１とは異なるが、これについては動作の説明にて後述する。
【０１１９】
キッチン機器１３は、冷蔵庫、電子レンジ、クッキングヒータ、レンジフードなど、調理時に使用頻度が高いことが想定される機器である。キッチン機器１３は、後述の使用状態を示す情報を照明制御装置３の機器通信部３２に送信する。
【０１２０】
状態検知部３０７は、機器通信部３２を介して、キッチン機器１３の使用状態を検知する。キッチン機器１３の使用状態とは、例えばキッチン機器１３の電源がオンになっているか否かの状態、キッチン機器１３である冷蔵庫の扉が開いているか否かの状態などである。状態検知部３０７は、本発明に係る状態検知手段の一例である。
【０１２１】
判定部３０８は、状態検知部３０７により検知されたキッチン機器１３の使用状態に基づいて、現在キッチンにて調理が行われているか否かを判定する。判定部３０８は、例えば、一定時間内における冷蔵庫の扉の開閉頻度、各キッチン機器１３のうち電源オンとなっているものがどの程度あるかなどに基づいて、調理が行われているか否かを判定する。判定部３０８は、本発明に係る判定手段の一例である。
【０１２２】
次に、図１１を参照しながら、照明制御装置３による照明制御の動作の一例を説明する。図１１に示す動作は、例えばユーザが操作部３３を操作して照明をオンにする操作をしたときに開始される。また、ユーザが操作部３３を操作して照明をオフにする操作をしたときには、各照明装置２を消灯する制御が行われたのちに図１１に示す動作が終了される。なお、実施の形態１と同様の動作については説明を簡略する。
【０１２３】
照明制御装置３の制御部３０の色温度決定部３０３は、実施の形態１の場合と同様に、例えば図６に示すパターンに基づいて、色温度を決定する（ステップＳ２０１）。
【０１２４】
制御部３０の状態検知部３０７は、各キッチン機器１３の使用状態を検知する（ステップＳ２０２）。制御部３０の判定部３０８は、ステップＳ２０２にて検知した使用状態に基づいて、現在キッチンにて調理中か否かを判定する（ステップＳ２０３）。
【０１２５】
調理中であると判定されたとき（ステップＳ２０３：Ｙｅｓ）、制御部３０の照明制御部３０４は、ステップＳ２０１にて決定された色温度に基づいてキッチンの照明装置２ａを制御し（ステップＳ２０４）、ステップＳ２０６以降の動作を実行する。この動作により、調理中はキッチンの照明装置２ａが天空を模倣するので、調理者は、あたかも外で調理をしているような体験をすることができる。
【０１２６】
調理中ではないと判定されたとき（ステップＳ２０３：Ｎｏ）、照明制御部３０４は、キッチンの照明装置２ａを通常光とする照明制御をし（ステップＳ２０５）、ステップＳ２０６以降の動作を実行する。この動作と後述のステップＳ２０６の動作とにより、調理中でないときはダイニングルームの照明装置２ｂが天空を模倣する一方、キッチンの照明装置２ａは通常光による照明をするので、例えば調理終了後にダイニングルームにて食事をする者は、あたかも屋内から少し外に出た場所にて食事をしているような体験をすることができる。
【０１２７】
照明制御部３０４は、ステップＳ２０１にて決定された色温度に基づいてダイニングルームの照明装置２ｂを制御する（ステップＳ２０６）。この動作により、ダイニングルームにいる者は、あたかも屋外にいるような体験をすることができる。そして制御部３０は、ステップＳ２０１からの動作を繰り返す。
【０１２８】
なお、ダイニングルームの照明装置２ｂについて、例えば、調理終了時を食事開始時とみなし、食事開始時から一定時間経過したときに照明装置２ｂによる照明を通常光による照明としてもよい。
【０１２９】
以上、実施の形態２に係る照明システム１を説明した。実施の形態２に係る照明システム１によれば、ダイニングルームにいる者は、あたかも屋外にいるような体験をすることができ、調理者は、あたかも外で調理をしているような体験をすることができ、また、調理終了後にダイニングルームにて食事をする者は、あたかも屋内から少し外に出た場所にて食事をしているような体験をすることができる。したがって、実施の形態２に係る照明システム１により、天空を模倣する照明装置２を利用したソリューションを実現できる。
【０１３０】
（実施の形態２の変形例）
実施の形態２では、色温度決定部３０３により決定された色温度は、キッチンの照明装置２ａとダイニングルームの照明装置２ｂとで共通のものであった。しかし、色温度決定部３０３は、キッチンの照明装置２ａとダイニングルームの照明装置２ｂとで異なる色温度を決定してもよい。例えば、キッチンの照明装置２ａの色温度については、調理中であれば常に１１０００Ｋとし、照明装置２ａが常に青空を模倣するものであってもよい。
【０１３１】
また、実施の形態２では、調理中でないときキッチンの照明装置２ａは通常光による照明をするものとしたが、調理中でないときにも照明装置２ａは天空を模倣してもよい。例えば、調理中でないときに青空を模倣すると、食器を片付けるときにすがすがしい気分を味わうことが期待できる。
【０１３２】
（実施の形態２の詳細）
通常の家庭では、キッチンとダイニングルームが隣接しているケースが多く、例えば図４３に示すような宅内コントローラを有する場合は、電子レンジ９６６、レンジフード９６７、ＩＨクッキングヒータ９６８、冷蔵庫９６９、及び本発明の青空照明制御部９３８が、宅内のキッチンダイニングコントローラ９７８に接続され、外部気象データのクラウド９０６及び９０７の情報をベースに制御が行われる。またこの場合ダイニングルームには通常発光を行う通常照明器具９７３も設置されており、屋外で食事をする雰囲気を味わう事ができる青空照明と、室内での食事をイメージしやすい通常照明とが切り替えできる構成となっている。
【０１３３】
図４４に示すようにキッチンダイニングコントローラが機器管理クラウド９０８に搭載された場合も基本的には同じ構成となるが、宅外からの状態監視や、宅外からの操作がスマートデバイス９０９によって可能となる点が追加される。
【０１３４】
また、このようなキッチンダイニングでの青空照明については、発光モードが調理中なのか、食事中なのかによって異なっており、キッチン家電が操作もしくは調理稼働中である場合は、調理中として例えば図４５の発光モードにて制御される。図４５は横軸に日中夕方夜の時間と天気の分類がされており、縦軸は各照明の発光状態やキッチン家電の状態を示している。ここでは調理中なのでダイニングルームは通常照明、キッチンは時間と天気に連動した発光モードとなっており、キッチン家電は単位時間内での一定期間操作があった場合を調理中と判断し、冷蔵庫は単位時間内の開閉数が一定以上あった場合を調理中として自動的に判断される。
【０１３５】
また、図４６に示すようにキッチン家電の操作が一定時間ない場合のダイニングルームは、食事中であるもしくは調理中以外であると判断し、時間と天気に連動した青空照明器具によるダイニング照明か、通常の照明かをユーザの操作で行われる。
【０１３６】
図４７にて、より詳細な時間連動モードでの制御フローを示す。ここでは調理開始のステップ９８５として、冷蔵庫開閉・ＩＨクッキングヒータ・電子レンジ・レンジフードファンの操作開始を確認し、キッチン照明の制御フロー９９２に移行する。ここでの照明器具の時間連動モード制御は図４１の場合と同じである。また調理が終了した事をタイマー設定もしくは調理機器に一定時間操作がなかった事で判断し、次のダイニング照明の制御フロー９９４に移行する。ダイニング照明の時間連動モードも図４１の場合と同様であるが、食事が終了したかどうかの判定９９５を、をタイマー設定もしくはスマートデバイスに入力した事をもって判断し、終了であればステップ９９６にあるように通常照明に切り替えを行う。このようにする事で、食事中とそうでない場合の空間演出を分け、生活リズムにメリハリをつける事も可能となった。
【０１３７】
このような空間演出の切り替えは、学校の給食時間や、オフィスや工場の昼食時間、などに対しても適応可能である。
【０１３８】
また、図４８には天気連動モードの場合の制御フローを示したが、天気連動で設定されている場合、晴れであれば青空、そうでなければ曇り空に設定され、キッチンやダイニングのそれぞれで制御される。また時間連動と複合する事で時間帯により夕焼け発光を行ってもよい。またキッチンとダイニングの制御フローの切り替えは調理終了か食事終了かで行われ、これに関しては図４７記載の制御フローと同様である。
【０１３９】
（実施の形態３）
図１２を参照しながら、実施の形態３に係る照明システム１を説明する。実施の形態３に係る照明システム１は、寝室に設けられた照明装置２を就寝時及び起床時に制御する照明システムである。以下、実施の形態１と異なる構成を説明する。
【０１４０】
実施の形態３に係る照明システム１は、寝室に設けられた照明装置２が照明制御装置３の機器通信部３２と接続されている点が実施の形態１と異なる。また、制御部３０は、空調制御部３０５及び給湯制御部３０６を備えず、起床時刻取得部３０９を備える点が実施の形態１と異なる。また、制御部３０により実行される動作も、実施の形態１とは異なるが、これについては動作の説明にて後述する。
【０１４１】
操作部３３は、例えば寝室に設けられたリモコンであり、起床時刻を設定可能な点が実施の形態１と異なる。また、ユーザが就寝前に操作部３３を操作することにより、就寝時用のモード（以下、就寝時モードという）に移行することが可能な点も、実施の形態１と異なる。就寝時モードへの移行の操作は、例えば通常の寝室照明において常夜灯のみをオンにする操作に相当する。
【０１４２】
起床時刻取得部３０９は、例えばユーザが操作部３３の操作により設定した起床時刻を取得する。あるいは、起床時刻取得部３０９は、携帯端末、スマートスピーカ等の端末装置によりインターネットＮＴ上の図示しないクラウドサーバに登録された起床時刻を取得するものであってもよい。起床時刻取得部３０９は、本発明に係る起床時刻取得手段の一例である。
【０１４３】
色温度決定部３０３は、例えば図１３に示すパターンに基づいて色温度を決定する点が実施の形態１と異なる。図１３に示す各行のうち、「日中」「夕方」「夜間」の行は図６に示すパターン、つまり実施の形態１の場合と同様である。また、「時間連動オフ（就寝時、起床時を除く）」の行も、概ね実施の形態１の場合と同様であるが、後述の就寝時及び起床時においては適用されない点が実施の形態１と異なる。
【０１４４】
「就寝時」の行は、ユーザが操作部３３により就寝時モードへ移行する操作をしたときに起床時刻まで適用される。ユーザが操作部３３により就寝時モードへ移行する操作をすると、色温度決定部３０３は、色温度を２５００Ｋとして決定する。なお、「（徐々に輝度を下げる）」の記載は、色温度決定部３０３による色温度決定とは直接関係しないが、就寝時における照明制御をわかりやすくするために記載している。つまり、照明制御部３０４は、就寝時においては徐々に輝度を下げる制御を行う点が、実施の形態１と異なる。
【０１４５】
「起床時」の行は、現在時刻が起床時刻を経過したときに適用される。現在時刻が起床時刻を経過すると、色温度決定部３０３は、色温度を１１０００Ｋとして決定する。なお、「（輝度強め）」の記載は、上記同様、色温度決定部３０３による色温度決定とは直接関係しないが、起床時における照明制御をわかりやすくするために記載している。つまり、照明制御部３０４は、起床時においては輝度を強めにする制御を行う点が、実施の形態１と異なる。
【０１４６】
次に、図１４を参照しながら、照明制御装置３による照明制御の動作の一例を説明する。図１４に示す動作は、例えばユーザが操作部３３を操作して就寝時モードに移行したときに開始される。なお、就寝時モードに移行する前の動作については、照明制御に関しては実施の形態１と同様であるため説明を省略する。また、実施の形態１と同様の動作については説明を簡略する。
【０１４７】
制御部３０の色温度決定部３０３が色温度を２５００Ｋとして決定し、制御部３０の照明制御部３０４が、決定した色温度に基づいて照明装置２を制御する（ステップＳ３０１）。この動作により、照明装置２は夕焼けを模倣し、ユーザは、一日の終わりを体感することができる。
【０１４８】
照明制御部３０４は、一定時間の間、徐々に照明装置２から発せられる光の輝度を下げる制御をする（ステップＳ３０２）。一定時間とは、例えば３０分間である。ステップＳ３０１によりユーザに一日の終わりを体感させ、この動作により照明装置２が夕焼けを模倣しつつ寝室を暗くするので、ユーザの眠りを誘うことができる。
【０１４９】
一定時間経過後、照明制御部３０４は、照明をオフにする制御をする（ステップＳ０３０３）。そして制御部３０は、起床時刻まで特段の動作をすることなく待機する（ステップＳ３０４）。
【０１５０】
起床時間を経過すると、色温度決定部３０３は色温度を１１０００Ｋとして決定し、照明制御部３０４は、決定した色温度に基づき、かつ輝度を強めにする照明制御をする（ステップＳ３０５）。この動作により、ユーザの目覚めを促すことができる。輝度強めの光により目を開けたユーザの視界には、あたかもまぶしい青空が映っているように見えるため、ユーザの眠気が解消することが期待できる。
【０１５１】
制御部３０は、ユーザによる操作部３３の操作を待ち受ける（ステップＳ３０６）。ユーザが操作部３３により何らかの操作をした場合、ユーザは起床していると判断できるため、制御部３０は、何らかの操作があったときに待ち受けを終了し、照明制御の動作を終了する。
【０１５２】
以上、実施の形態３に係る照明システム１を説明した。実施の形態３に係る照明システム１によれば、就寝時にはユーザの眠りを誘うことができ、起床時にはユーザの目覚めを促すことができる。したがって、実施の形態３に係る照明システム１により、天空を模倣する照明装置２を利用したソリューションを実現できる。
【０１５３】
（実施の形態３の詳細）
図４９にて、寝室に設置された青空照明に関し、システムの構造をより詳細に説明する。図において寝室青空照明１００６には、電源部９３９と制御部９３８が設けられており、これを寝室コントローラ１００４でモード制御する構成となっている。ここで寝室コントローラ１００４には複数の青空照明や、一般照明などが接続される他、図にあるスマートデバイス９０９が宅内接続され、スマートフォンの目覚ましアプリや、ＡＩスピーカの目覚まし設定の起床タイミング情報が、取得できるようになっている。また寝室コントローラ１００４は外部のクラウドに接続され、気象データや時刻データもクラウドインタフェース１００３を介して取得できるようになっている。この構成により前述のソリューションが実現できる。
【０１５４】
また図５０は前記寝室コントローラ１００４の機能が、機器管理クラウド９０８のクラウド上に構成された場合を示したものである。この場合は、機器管理クラウドを用意する必要があるが、宅内にＨＷのコントローラが不要になる他、スマートデバイス９０９が元々クラウド接続機器であるため、情報の連携がしやすい特徴がある。なお、この場合は機器管理クラウドと外部情報クラウドとを、クラウド間Ｗｅｂ−ＡＰＩで接続し、クラウド間の情報やりとりを行う事となる。
【０１５５】
また図５１はこの寝室照明の発光モードを横軸に日中夕方夜と天候、縦軸にユーザの使用シーンと天候を記載したものである。ここで起床時はスマートフォンもしくはＡＩスピーカの目覚まし時計機能との連動となるが、就寝時はあらかじめ時刻予約をインプットしておくか、特定の時間帯において寝室の照明壁スイッチをＯＦＦにしたタイミングで就寝と判断する。また日中においては、必ずしも就寝用途に使用するとは限らないため、青空照明ＯＦＦにユーザが設定すれば通常発光モードとなる他、夕方の時間帯に夕焼け発光するかどうかといった判断はユーザの設定により行われる。
【０１５６】
また、図５２は時間連動モードでの制御フローを記載したもので、寝室の部屋照明としての時間連動の制御自体は風呂場やキッチンの場合と同じであり、就寝時刻か（ステップ１００９）、起床時刻か（ステップ１０１１）での判断分岐で、就寝や起床時の照明発光モードを制御するものである。
【０１５７】
また、図５３は天気連動モードのケースを記載したものであり、寝室の部屋照明としての天気連動の制御自体は風呂場やキッチンの場合と同じであり、就寝時刻か（ステップ１００９）、起床時刻か（ステップ１０１１）での判断分岐で、就寝や起床時の照明発光モードを制御するものである。
【０１５８】
（実施の形態４）
図１５を参照しながら、実施の形態４に係る照明システム１を説明する。実施の形態４に係る照明システム１は、オフィスビル内に設けられた各照明装置２を制御する照明システムである。具体的には、照明システム１は、居室に設けられた照明装置２ｃと、会議室に設けられた照明装置２ｄと、休憩室に設けられた照明装置２ｅと、廊下に設けられた照明装置２ｆとを、現在日時と入退場管理システム６から得られる情報とに基づいて制御する。以下、実施の形態１と異なる構成を説明する。
【０１５９】
実施の形態４に係る照明システム１は、居室の照明装置２ｃ、会議室の照明装置２ｄ、休憩室の照明装置２ｅ及び廊下の照明装置２ｆが照明制御装置３の機器通信部３２と接続されている点が実施の形態１と異なる。また、照明制御装置３は、操作部３３を備えない点が実施の形態１と異なる。また、外部通信部３１は、入退場管理システム６と通信する点が実施の形態１と異なる。また、照明制御部３０４は、照明装置２ｃ−２ｆを制御する点が実施の形態１と異なる。また、制御部３０は、気象情報取得部３０１、空調制御部３０５及び給湯制御部３０６を備えず、在不在判定部３１０と予約状況取得部３１１とを備える点が実施の形態１と異なる。また、制御部３０により実行される動作も、実施の形態１とは異なるが、これについては動作の説明にて後述する。
【０１６０】
入退場管理システム６は、オフィスビル内の各部屋の入退場を管理する入退場管理システムである。入退場管理システム６は、例えば各部屋の入口に設けられた図示しない入退場用カードリーダ、会議室の使用を予約するために設けられた図示しない会議室予約用タッチパネルなどと接続され、当該カードリーダ、タッチパネルなどから取得した情報に基づいてオフィスビル内の各部屋の入退場を管理する。入退場管理システム６は、特に、部屋ごとに当該部屋に入室している者がいるか否かを示す情報と、会議室の予約状況を示す情報とを照明制御装置３に送信するものとする。
【０１６１】
在不在判定部３１０は、外部通信部３１を介して入退場管理システム６から、部屋ごとに当該部屋に入室している者がいるか否かを示す情報を取得し、部屋ごとに人がいるかいないかを判定する。
【０１６２】
予約状況取得部３１１は、外部通信部３１を介して入退場管理システム６から、会議室の予約状況を示す情報を取得する。ここで、会議室の予約とは、ある時間帯について会議室を使用することを、例えば会議室予約用タッチパネルの操作により予約することである。また、会議室の予約状況とは、どの時間帯に会議室の使用が予約されているかを示すものである。予約状況取得部３１１は、本発明に係る予約状況取得手段の一例である。
【０１６３】
色温度決定部３０３は、例えば図１６に示すパターンに基づいて色温度を決定する点が実施の形態１と異なる。図１６に示す各行は、現在日時が始業時、就業中、終業時及び終業時後の残業中のときにそれぞれ色温度をどのように決定すべきかを示す。「始業時」及び「終業時」とは、例えば始業時刻及び終業時刻経過後の３０分間である。また、「就業中」とは、就業時間帯のうち「始業時」及び「終業時」を除く時間帯である。図１６に示すパターンでは、「始業時」には休憩室以外の各場所で青空を模倣することにより労働者の目覚めを促し、「終業時」には会議室以外の各場所で夕焼けを模倣することにより労働者に１日の終わりを体感させ、帰宅を促す。
【０１６４】
図１６に示す各列は、場所ごとに色温度をどのように決定すべきかを示す。ただし、会議室については、予約状況取得部３１１により取得された予約状況に応じて決定される色温度が異なる。「（予約終了時）」の記載は、予約に係る期間が終了した時であり、例えば当該期間の経過後の１０分間について適用される。「（予約中）」の記載は、現在日時において会議室が予約中となっている時であり、現在日時において会議室が使用中であることが想定される時である。図１６のようにパターンを設定することにより、例えば就業中のとき、会議室の色温度は１１０００Ｋを原則としつつ予約終了時には色温度を２５００Ｋとすることで会議の終了を促す。また、終業時のとき、会議室の色温度は２５００Ｋを原則としつつ予約中には色温度を１１０００Ｋとすることで、会議室が使用中の場合には無理に会議の終了を急かすことなく、使用中でないときには帰宅を促すことができる。
【０１６５】
次に、図１７を参照しながら、照明制御装置３による照明制御の動作の一例を説明する。図１７に示す動作は、例えばオフィスビルの管理者が照明制御装置３を起動させたときに開始される。なお、実施の形態１と同様の動作については説明を簡略する。
【０１６６】
照明制御装置３の制御部３０の在不在判定部３１０は、各場所に人がいるか否かを判定する（ステップＳ４０１）。ただし、廊下については、入退場管理システム６による入退場の管理ができないと想定されるので判定しない。
【０１６７】
制御部３０の予約状況取得部３１１は、会議室の予約状況を取得する（ステップＳ４０２）。予約状況取得部３１１は、例えば、現在日時を含む１日分の予約状況を取得する。
【０１６８】
制御部３０の色温度決定部３０３は、ステップＳ４０２にて取得された予約状況と、例えば図１６に示すパターンとに基づいて、色温度を場所ごとに決定する（ステップＳ４０３）。このとき、ステップＳ４０１にて人がいないと判定された場所については色温度を決定しなくともよい。
【０１６９】
制御部３０の照明制御部３０４は、ステップＳ４０３にて決定された色温度に基づいて、ステップＳ４０１にて人がいると判定された場所の照明装置２を制御する（ステップＳ４０４）。併せて、照明制御部３０４は、ステップＳ４０１にて人がいないと判定された場所の照明装置２をオフにする照明制御をする（ステップＳ４０５）。そして制御部３０は、ステップＳ４０１からの動作を繰り返す。
【０１７０】
以上、実施の形態４に係る照明システム１を説明した。実施の形態４に係る照明システム１によれば、始業時には照明装置２により青空を模倣して目覚めを促す、終業時には照明装置２により夕焼けを模倣して帰宅を促すなどの効果を期待できる。また、会議室の予約状況に基づいて色温度を決定することで、予約終了時に会議の終了を促す、終業時であっても会議中であれば帰宅を促さない、などの効果を期待できる。したがって、実施の形態４に係る照明システム１により、天空を模倣する照明装置２を利用したソリューションを実現できる。
【０１７１】
（実施の形態４の変形例１）
実施の形態４では、実施の形態１から３と異なり、現在日時あるいは天気と色温度とが連動しないものとした。しかし、実施の形態１から３と同様に、現在日時及び天気と色温度とが連動をするものであってもよい。例えば就業中については現在日時及び天気に基づいて色温度を決定してもよい。あるいは、例えば、休憩室の照明装置２の色温度のみ、現在日時及び天気に基づいて決定してもよい。
【０１７２】
（実施の形態４の変形例２）
実施の形態４において、照明システム１が導入された地域とはタイムゾーンの異なる地域（以下、当該他地域という）の時刻を基準として「始業時」「就業中」及び「終業時」を定めてもよい。例えば、照明システム１が導入されているオフィスにて行われる業務が、当該他地域にて業務を行う顧客のサポートである場合、当該他地域の時刻を基準として「始業時」「就業中」及び「終業時」を定めることにより、労働者に当該他地域の現在日時を強く意識させることが期待できる。
【０１７３】
また、照明システム１が導入された地域と当該他地域との時差が、例えば１時間、２時間など、さほど大きくない場合、両地域の時刻の中間を基準としてもよい。例えば両地域の時差が２時間であり、「始業時」を午前９時と定める場合、一方の地域での実際の「始業時」は午前８時となり、他方の地域での実際の「始業時」は午前１０時となる。
【０１７４】
（実施の形態４の詳細）
ビルにおいて、青空照明と入退場管理の全体システムを構成した場合のシステム構成詳細を図５４に示す。図において青空照明９４４は、前述した寝室と同様に、電源部９３９及び制御部９３８から構成されているが、ここで照明コントローラ１０２３に接続され、例えばビルの１フロアに１台設置される照明コントローラにより、フロア内の青空照明器具の他、一般照明を含む全体が制御される。また、このローカルコントローラは、ビル全体を管理するビルコントローラ１０１９に接続され、ビルコントローラ１０１９で入退場管理システム１０２７と合わせて、照明のＯＮ／ＯＦＦや調光、照明コントローラ１０２３に有するシーン設定などのモード制御設定を、当該ビル全体で制御管理するものである。また、このビルコントローラ１０１９及び入退場管理システム１０２７は、クラウド１０２９に接続され、同じビル管理事業やビルセキュリティ事業を行う部門において、他のビルのシステムを含め統合管理できるようになっているものである。
【０１７５】
図５５に示すように前述のビルコントローラ自体がクラウド上に構成されている場合もあり、この場合はフロア毎の照明コントローラが直接管理クラウド１０３１に接続し制御される。またビルの空調照明管理と、セキュリティ管理を行う入退場管理システムが別々の管理体系で構成されている場合があり、例えば時間情報・住所・天気情報などセキュリティ上必要な情報を有する入退場管理クラウド１０３２と、空調照明などのビル機器を制御する機器管理クラウド１０３１とを、クラウド間のＷｅｂ−ＡＰＩで接続し、本青空照明の表示内容を外部の天候に合わせたり、日の出日の入り時刻に合わせたりする事が可能となる。
【０１７６】
また、入退場管理システム１０２７において、不正な外部侵入者が発覚したり、地震や災害での緊急避難時、などにおいて、本件の青空照明システムの発光色温度を変更し、例えば赤色発光や、黄色発光、もしくは点滅発光させるなど、異常事態である事を従業員や警備員に知らせる事も可能となる。
【０１７７】
また、図５６にて青空照明器具の発光モード詳細を示すが、強い青空の光は人間の体内時計をリセットしやすくする効果があり、就業時間前の出社時において適用すれば、オフィスの作業効率改善に寄与できる。また、前述したように会議終了を促す場合や、帰宅奨励など、いずれもオフィスの作業効率改善に寄与するものである。ただし、外部の顧客との打ち合わせなどでは、営業販売面に支障があるため、青空発光からの切り替えを手動にするなどの設定変更も可能となるようにし、また社外の者との打ち合わせスペースにおいてはデフォルトを手動変更にしておいてもよい。
【０１７８】
また、図５７にて、体内時計のリセット効果を利用したり、異なる地域で業務時間帯を合わせる事が本照明器具を制御する事で可能となる事例について述べる。図において例えばオフィスのあるビルの経度があまり大きく離れていない国同士で、共同業務を行う場合、Ａ地域事務所１０３５と、Ｂ地域事務所１０３６の時差に対しその中間の時間帯に両事務所の就業開始時間と終了時間を合わせ、両事務所での合同会議や、従業員間の打ち合わせなどの時間整合を取る事が可能となる。
【０１７９】
これらは例えば、同一会社内での業務効率改善の他、共同開発を行うような別々の会社間でプロジェクトを進める場合などにも有効である。いずれも強い青空照明光による体内時計のリセットや、夕焼け発光による帰宅を促す場合など、毎日の繰り返しの中での体内時計調整をスムーズに行う事が可能となる。
【０１８０】
また例えば共同プロジェクト開発など、異なる時差間での緊急会議や早朝会議が多く発生する場合は一般的に体内時計を乱す要因となっているが、本青空照明の体内時計調整機能を活用しつつ就業時間を合わせる事で、関係者間の体内時計を合わせ、人体負荷を低減するものである。
【０１８１】
また、コールセンター業務や、ワールドワイドの配送業務などにおいて、人材確保が難しい場合、海外の人材を活用するため時差がまったく異なるオフィスで共同作業をするケースが存在する。例えばＣ地域事務所とＡ地域事務所がＡ地域の昼間業務について連携して作業を行う場合、いわゆる夜間勤務がＣ地域で発生するが、人体負荷を考慮し一定期間で昼間業務と交代するなどといった処置がとられるものの、夜間業務に入った場合、早く夜間業務のサイクルに体内時計を合わさないと、かえって人体負荷が大きくなる問題がある。このような現地課題を解決することも可能となる。
【０１８２】
また、上記は事務所作業について述べたが、２４時間操業の向上などで、夜勤労働者の体内時計を早く慣らし、作業時の安全性の担保やポカよけ等の作業効率改善にも寄与できる。
【０１８３】
（実施の形態５）
図１８を参照しながら、実施の形態５に係る照明システム１を説明する。実施の形態５に係る照明システム１は、地下街などの地下空間に設けられた照明装置２を制御する照明システムである。以下、実施の形態１と異なる構成を説明する。以下の説明では、照明装置２は地下街を照明するものとして説明する。
【０１８４】
実施の形態５に係る照明システム１は、浴室空調機１１及び給湯機１２に代えて、換気装置１４が照明制御装置３の機器通信部３２と接続されている点が実施の形態１と異なる。また、制御部３０は、空調制御部３０５及び給湯制御部３０６を備えず、換気制御部３１２を備える点が実施の形態１と異なる。また、操作部３３は、例えば地下街の管理室に設けられた壁掛けリモコンである。また、制御部３０により実行される動作も、実施の形態１とは異なるが、これについては動作の説明にて後述する。
【０１８５】
換気装置１４は、地上空間から外気を取り込み地下街に送り込むことにより、地下街の換気を行う。地下街の換気は、地下街内の空気を地上空間に排出することにより行われるのが一般的である一方、実施の形態５においては、地上空間から外気を取り込むという違いがある。地上空間から外気を取り込むことにより、地下街の入場者に新鮮な風を体感させることができる。換気装置１４は、本発明に係る機器、空調装置及び換気装置の一例である。
【０１８６】
換気制御部３１２は、地上空間から地下街に外気を送り込むように換気装置１４を制御する。また、換気制御部３１２は、換気装置１４のオン・オフも制御する。換気制御部３１２は、本発明に係る機器制御手段の一例である。
【０１８７】
色温度決定部３０３は、例えば図１９に示すパターンに基づいて色温度を決定する点が実施の形態１と異なる。図１９に示す各行が、「開業直後」「営業中」「閉業直前」であるという点、「時間連動モードオフ」が無い点以外は実施の形態１の場合と同様である。「開業直後」とは、例えば地下街が開業してからの１時間である。「閉業直前」とは、例えば地下街の閉業前３０分間である。なお、地下街の開業とは、地下街の出入口が開き一般人による入場が可能となることをいい、地下街の閉業とは、地下街の出入口が閉じ一般人による入場が不可能となることをいう。「営業中」とは、地下街の出入口が開いている時間帯のうち「開業直後」及び「閉業直前」を除く時間帯である。
【０１８８】
次に、図２０を参照しながら、照明制御装置３による機器制御の動作の一例を説明する。図２０に示す動作は、例えば現在日時が地下街の開業時刻となったときに開始される。なお、実施の形態１と同様の動作については説明を簡略する。
【０１８９】
照明制御装置３の制御部３０の色温度決定部３０３は、例えば図１９に示すパターンに基づいて色温度を決定する（ステップＳ５０１）。制御部３０の照明制御部３０４は、ステップＳ５０１にて決定された色温度に基づいて照明装置２を制御する（ステップＳ５０２）。
【０１９０】
制御部３０の換気制御部３１２は、地上空間から外気を取り込んで地下街に送り込むように換気装置１４を制御する（ステップＳ５０３）。
【０１９１】
制御部３０は、現在日時に基づいて、地下街が閉業したか否かを判定する（ステップＳ５０４）。地下街が閉業していないと判定されたとき（ステップＳ５０４：Ｎｏ）、制御部３０は、ステップＳ５０１からの動作の流れを繰り返す。
【０１９２】
地下街が閉業したと判定されたとき（ステップＳ５０４：Ｙｅｓ）、照明制御部３０４は、照明装置２を消灯する制御をし、換気制御部３１２は、換気装置１４による換気を停止する制御をする（ステップＳ５０５）。そして制御部３０は、機器制御の動作を終了する。
【０１９３】
以上、実施の形態５に係る照明システム１を説明した。実施の形態５に係る照明システム１によれば、照明装置２により天空を模倣しつつ換気装置１４により外気を取り込んで地下街に送り込むので、地下街の入場者は、あたかも屋外にいるかのような開放感を体感できる。したがって、実施の形態５に係る照明システム１により、天空を模倣する照明装置２を利用したソリューションを実現できる。
【０１９４】
（実施の形態５の変形例）
実施の形態５では、営業中は常に換気装置１４により外気を取り込むものとした。しかし、雨天時、湿度の高い時など、外気を取り込むと地下街の入場者が不快と感じることが想定される場合には、換気装置１４による外気の取り込みを停止してもよい。
【０１９５】
（実施の形態５の詳細）
地下店舗における青空照明及び換気連動システムの構成の詳細を図５８に示す。ここで青空照明１０３８は電源部９３９および制御部９３８と合わせて構成されているが、換気システム１０３９においても同様にファンの駆動部１０４０と制御部１０４１と合わせて構成されている。これらは、地下店舗コントローラ１０４２で全体が制御され、各シーンの設定やＯＮ／ＯＦＦなどが行われる。この地下店舗コントローラ１０４２は、機器管理クラウド９０８に接続され、遠隔状態監視や遠隔制御を行う他、他の地下店舗との連携制御も行う事が可能である。またこの機器管理クラウド９０８は外部情報クラウド９０６及び９０７とクラウド間Ｗｅｂ−ＡＰＩで接続され、時間情報はもとより、気象情報や緯度経度に基づく日の出日の入り時刻の入手等による連携制御が可能になるものである。
【０１９６】
また、図５９に地下店舗照明の設定について示すが、ビル管理システムの場合と同様に、本青空照明が体内時計をリセットする効能があるので、店舗の開店時にリフレッシュしたり、終了時に帰宅をうながす効果がある。また地上のような状態を再現するため照明状態と換気状態を連動する場合であっても、地上が雨や湿気が多いなど不快な場合は、換気連動をＯＦＦする事で、無理に忠実な再現を行わない配慮が必要となる。
【０１９７】
またビルの場合でも記載したが、不正な外部侵入者が発覚したとき、地震や災害での緊急避難時などにおいて、本件の青空照明システムの発光色温度を変更し、例えば赤色発光や、黄色発光、もしくは点滅発光させるなど、異常事態である事を従業員や警備員に知らせる事も可能となる。
【０１９８】
（実施の形態６）
図２１を参照しながら、実施の形態６に係る照明システム１を説明する。実施の形態６に係る照明システム１は、窓として設けられた照明装置２Ｗを制御する照明システムである。照明システム１は、照明装置２Ｗに設けられた液晶シャッタ２７Ｗによる遮蔽制御もする。照明装置２Ｗは、例えば住宅の窓枠にはめ込まれている。なお、照明装置２Ｗは、天井に設けられた窓枠にはめ込まれ、天窓と同様の使用態様によるものであってもよい。以下、実施の形態１と異なる構成を説明する。
【０１９９】
実施の形態６に係る照明システム１は、照明装置２Ｗが照明制御装置３の機器通信部３２と接続されている点が実施の形態１と異なる。また、制御部３０は、空調制御部３０５及び給湯制御部３０６を備えず、遮蔽判定部３１３及び遮蔽制御部３１４を備える点が実施の形態１と異なる。また、操作部３３は、例えば窓枠近辺に設けられたリモコンである点が実施の形態１と異なる。また、制御部３０により実行される動作も、実施の形態１とは異なるが、これについては動作の説明にて後述する。
【０２００】
色温度決定部３０３は、例えば、後述の遮蔽判定部３１３と同様に、図２２に示すパターンに基づいて色温度を決定する点が実施の形態１と異なる。図２２の詳細については後述する。
【０２０１】
遮蔽判定部３１３は、例えば図２２に示すパターンに基づいて、照明装置２Ｗの液晶シャッタ２７Ｗを開けるか否か、つまり液晶シャッタ２７Ｗによる外光の遮蔽をするか否かを判定する。遮蔽判定部３１３は、本発明に係る遮蔽判定手段の一例である。
【０２０２】
図２２に示す各行は、現在日時ごとに、液晶シャッタ２７Ｗを開けるか否かをどのように判定し、色温度をどのように決定すべきかを示す。なお、「シャッタ開」のとき色温度が示されていないのは、液晶シャッタ２７Ｗを開けるときは外光を導光するので、照明はオフとすべきだからである。図２２に示す各列は、天気ごとに、液晶シャッタ２７Ｗを開けるか否かをどのように判定し、色温度をどのように決定すべきかを示す。「晴れ（猛暑）」とは、例えば外気温が３５度以上であり、日中は日射を遮蔽することが好ましい天気を示す。図２２に示すパターンにより、例えば日中、夕方かつ猛暑でない晴れのとき及び夕方かつ猛暑である晴れのときには液晶シャッタ２７Ｗを開けて日射を導光し、日中、夕方かつ曇り・雨のとき及び日中かつ猛暑である晴れのときには液晶シャッタ２７Ｗを閉じ照明装置２Ｗにより天空を模倣することとなる。
【０２０３】
遮蔽制御部３１４は、遮蔽判定部３１３による判定結果に基づいて、液晶シャッタ２７Ｗの開閉を制御する。遮蔽制御部３１４は、本発明に係る遮蔽制御手段の一例である。
【０２０４】
次に、図２３を参照しながら、照明制御装置３による、遮蔽制御を含む照明制御の動作の一例を説明する。図２３に示す動作は、例えばユーザが操作部３３を操作して照明をオンにする操作をしたときに開始され、照明をオフにする操作をしたときに終了される。なお、実施の形態１と同様の動作については説明を簡略する。
【０２０５】
照明制御装置３の制御部３０の遮蔽判定部３１３は、例えば図２２に示すパターンに基づいて、液晶シャッタ２７Ｗによる遮蔽をすべきか否かを判定する（ステップＳ６０１）。
【０２０６】
遮蔽をすべきと判定されたとき（ステップＳ６０１：Ｙｅｓ）、制御部３０の遮蔽制御部３１４は、液晶シャッタ２７Ｗを閉じる遮蔽制御をする（ステップＳ６０２）。制御部３０の色温度決定部３０３は、例えば図２２に示すパターンに基づいて色温度を決定する（ステップＳ６０３）。制御部３０の照明制御部３０４は、ステップＳ６０３にて決定された色温度に基づいて照明装置２Ｗを制御する（ステップＳ６０４）。そして制御部３０は、ステップＳ６０１からの動作を繰り返す。
【０２０７】
ステップＳ６０１にて遮蔽をすべきではないと判定されたとき（ステップＳ６０１：Ｎｏ）、遮蔽制御部３１４は、液晶シャッタ２７Ｗを開ける遮蔽制御をする（ステップＳ６０５）。照明制御部３０４は、照明装置２Ｗによる照明をオフにする照明制御をする（ステップＳ６０６）。そして制御部３０は、ステップＳ６０１からの動作を繰り返す。
【０２０８】
以上、実施の形態６に係る照明システム１を説明した。実施の形態６に係る照明システム１によれば、照明装置２Ｗによる天空の模倣に加えて液晶シャッタ２７Ｗの遮蔽制御をすることにより、外光の取り込みと天空の模倣とを切り替えることができる。そのため、実施の形態６に係る照明システム１によれば、外光を取り込むことが好ましい場合には液晶シャッタ２７Ｗを開くことによりユーザに外光を体感させることができ、外光を遮蔽することが好ましい場合にも照明装置２Ｗにより天空を模倣することによりユーザに開放感を与えることができる。したがって、実施の形態６に係る照明システム１により、天空を模倣する照明装置２Ｗを利用したソリューションを実現できる。
【０２０９】
（実施の形態６の詳細）
図６１は、本青空照明付き窓の制御システムを示したもので、図において照明器具に関わる電源部９３９、制御部９３８と、コントローラを構成する全体制御部１０５１、クラウド情報記憶部１０５２、エッジインタフェース１０５３、機器管理クラウド９０８、外部情報クラウド９０６及び９０７から構成される。図６１中のコントローラはエッジ側にＨＷのコントローラとしてあってもよいが、窓照明を操作するリモコンの中にあってもよく、また機器管理クラウド上にクラウドシステムの機能として構成されてもよい。また具体的な制御事例としては、見晴らしの良い晴れの日は窓として外が見える状態にしておく他、どんよりとした雨の日や夏場の日射が強い日や夜間などは外からの光を遮断し青空照明とする事で、自然の解放感を得たり、夏場の強い日射による室内温度上昇を防ぐ事が可能となる。また日射遮蔽については、太陽光が差し込んでいる方向に取り付けられた窓だけを、このような青空照明にし、残りの日射が差し込まない窓は通常の窓にしておく方法もある。
【０２１０】
また、図６８に天窓の場合の制御の事例を示す。天窓の場合、上方に向かって窓が開口しているため、晴れた日は通常透明の窓モードに制御されるが、夏場の日射が強い場合は、特に天窓に光が差し込まれる確率が多くなるので青空照明モードに設定する。また曇りや雨の日は窓モードもしくは曇り空に設定できれば、外部環境と天窓を見上げた時の状態を同じように設定する事が可能である。また、雨や曇りの日をあえて青空モードに発光させる事で天気のいい日の解放感をあじわう事も可能である。
【０２１１】
（実施の形態７）
図２４を参照しながら、実施の形態７に係る照明システム１を説明する。実施の形態７に係る照明システム１は、航空機の窓として設けられた照明装置２Ｗを制御する照明システムである。具体的には、目的地のタイムゾーンに基づいて照明装置２Ｗを制御し、搭乗者の時差ボケを軽減する照明システムである。照明装置２Ｗは、例えば航空機の窓枠にはめ込まれている。実施の形態６と同様、照明システム１は、照明装置２Ｗに設けられた液晶シャッタ２７Ｗによる遮蔽制御もする。以下、実施の形態６と異なる構成を説明する。
【０２１２】
実施の形態７に係る照明システム１は、気象サーバ４を備えない点が、実施の形態６と異なる。また、照明制御装置３が外部通信部３１及び操作部３３を備えない点が、実施の形態６と異なる。また、制御部３０が気象情報取得部３０１を備えず、起床時刻取得部３０９を備える点が実施の形態６と異なる。
【０２１３】
起床時刻取得部３０９は、実施の形態３に係る起床時刻取得部３０９と概ね同様だが、ユーザが起床時刻を設定するのではなく、目的地のタイムゾーンに基づいて起床時刻が設定される点が実施の形態３と異なる。例えば、目的地の現地時間における朝９時を起床時刻として設定することにより、搭乗者の時差ボケを軽減することが期待できる。
【０２１４】
色温度決定部３０３による色温度の決定及び遮蔽判定部３１３による遮蔽すべきか否かの判定は、例えば図２５に示すパターンに基づいて行われる。なお、理解を容易にするため、図２５では、各パターンにて窓の様子が搭乗者からどのように見えるのかも示す。図２５は、日本時間の深夜５時に日本を出発し、ベルギー時間の午前１１時にベルギーに到着する場合の例である。ただし、ベルギー時間は夏時間が適用されていないものとする。
【０２１５】
図２５に示す「日本時間」及び「ベルギー時間（非夏時間）」の行は、同一の時刻を日本時間及びベルギー時間にて示したものである。「照明、遮蔽制御」の行は、上記の各時刻における色温度の決定及び遮蔽の可否のパターンを示したものである。「窓の様子」の行は、搭乗者からどのように窓が見えるのかを示したものである。
【０２１６】
図２５に示す例では、到着時刻がベルギー時間の午前１１時であり、起床時刻がベルギー時間の朝９時と設定されている。図２５に示す例では、睡眠時間が７時間と想定され、入眠準備の時刻がベルギー時間の深夜１時、就寝時刻がベルギー時間の深夜２時であるものとしてパターンが設定されている。
【０２１７】
図２５に示す例では、出発時刻である日本時間の深夜５時から入眠準備前の朝９時までは液晶シャッタ２７Ｗを開くものとなっている。当該時間帯はまだ就寝には早いため、液晶シャッタ２７Ｗを開くことにより搭乗者が外の景色を楽しむことができる。
【０２１８】
図２５に示す例では、日本時間の朝９時（ベルギー時間の深夜１時）になると、早くも液晶シャッタ２７Ｗを閉じ、照明装置２Ｗにより夕焼けを模倣することとなっている。外光を遮蔽し夕焼けを模倣することにより、搭乗者に就寝を促す。そして日本時間の午前１０時（ベルギー時間で深夜２時）になると、照明もオフとすることにより、搭乗者を眠りに誘う。そして７時間経過し、ベルギー時間の朝９時（日本時間の午後１７時）になると、液晶シャッタ２７Ｗを閉じたまま照明装置２Ｗにより青空を模倣することにより、搭乗者に目覚めを促す。そして到着時刻であるベルギー時間の午前１１時（日本時間の夜１９時）になると、液晶シャッタ２７Ｗを開ける。
【０２１９】
このように、タイムゾーンに基づいてパターンを設定することにより、適切な時刻に搭乗者の睡眠及び目覚めを促すことができるので、搭乗者の時差ボケを軽減できる。
【０２２０】
照明制御装置３による、遮蔽制御を含む照明制御の動作については、図２５のパターンに基づいて色温度の決定と遮蔽の可否の判定がされるという点を除いて、実施の形態６と同様であるため説明を省略する。
【０２２１】
以上、実施の形態７に係る照明システム１を説明した。実施の形態７に係る照明システム１によれば、目的地のタイムゾーンに基づいて色温度の決定及び遮蔽の可否判定をすることにより、適切な時刻に搭乗者の睡眠及び目覚めを促すことができるので、搭乗者の時差ボケを軽減できる。したがって、実施の形態７に係る照明システム１により、天空を模倣する照明装置２Ｗを利用したソリューションを実現できる。
【０２２２】
なお、図６２は、上記窓状態の変化を、青空照明付きとそうでない場合とで、時系列的に並べたもので、夕焼けから遮光状態への移行も含め睡眠時間をできるだけ長く確保できるようにしたものである。またこの際の窓状態の制御方法としては、最終到着地の時差状態に体の体内時計を合わせ込むように、体内時計リセットの効果が高い青空照明発光と、入眠しやすい夕焼けから遮光への移行とを組み合わせ、到着時には現地時差の状態に近づくように制御するものである。
【０２２３】
（実施の形態８）
図２６を参照しながら、実施の形態８に係る照明システム１を説明する。実施の形態８に係る照明システム１は、例えばオフィスビルに窓として設けられた照明装置２Ｗを、電力デマンド制御（以下単に「デマンド制御」という）のために制御する照明システムである。照明装置２Ｗは複数設けられていることが通常であり、図２６でも複数の照明装置２Ｗを示しているが、照明装置２Ｗは単数であってもよい。照明システム１は、照明装置２Ｗに設けられた液晶シャッタ２７Ｗによる遮蔽制御もする。照明装置２Ｗは、例えばオフィスビルの窓枠にはめ込まれている。以下、実施の形態６と異なる構成を説明する。
【０２２４】
実施の形態８に係る照明システム１は、照明制御装置３の外部通信部３１が、インターネットＮＴ上のデマンド管理サーバ７と通信する点が、実施の形態６と異なる。また、照明制御装置３が操作部３３を備えず、機器情報記憶部３４を備える点が、実施の形態６と異なる。また、制御部３０が気象情報取得部３０１を備えない点が実施の形態６と異なる。また、制御部３０により実行される動作も、実施の形態６とは異なるが、これについては動作の説明にて後述する。
【０２２５】
機器情報記憶部３４は、デマンド制御のために必要となる、照明装置２Ｗに関する機器情報を保存する。機器情報記憶部３４が保存する機器情報は、例えば図２７に示すものとなる。なお、図２７は、１つの照明装置２Ｗに関する情報を示す。実施の形態８では、照明装置２Ｗは複数存在するのが通常であるため、照明装置２Ｗごとに図２７に示すような情報が機器情報記憶部３４に保存される。機器情報記憶部３４に保存された機器情報は、制御部３０により適宜デマンド管理サーバ７に送信され、デマンド管理サーバ７に保存される。なお、デマンド管理サーバ７には、図示しない他の装置から送信された、照明装置２Ｗ以外の機器に関する機器情報も保存される。
【０２２６】
機器ＩＤは、照明装置２Ｗを個別に識別するためのＩＤである。建物ＩＤは、照明装置２Ｗが設けられた建物を示すＩＤである。グループＩＤは、デマンド制御単位ごとに定められたグループのうち、照明装置２Ｗが属するグループをいう。例えば、同フロアに設置され同一の設置方位である複数の照明装置２Ｗが、１つのグループに属する。設置方位は、窓として使用される照明装置２Ｗの設置方位である。南向きに設置される照明装置２Ｗは、日射を多く取り込むため、優先的にデマンド制御の対象となりうる。設置高さは、照明装置２Ｗが設置されている地上からの高さを示す。周辺建物影響は、周辺の建物により日射がどのくらい遮られやすいかを示す。デマンド制御可否は、当該照明装置２Ｗがデマンド管理サーバ７によるデマンド制御を受けるか否かを示す。対応機能は、照明装置２Ｗが有する機能を示す。この項目は、デマンド管理サーバ７には照明装置２Ｗ以外の機器についての機器情報も保存されることから、他の機器と区別するために設けられている。
【０２２７】
デマンド管理サーバ７は、照明制御装置３から受信し保存した照明装置２Ｗの機器情報と、気象サーバ４から取得した気象情報とに基づいて、照明装置２Ｗのデマンド制御についての指示を示すデマンド情報を作成して照明制御装置３に送信する。デマンド管理サーバ７は、例えば照明装置２Ｗが設けられたオフィスビルに電力を供給する電力会社が運営するクラウドサーバである。
【０２２８】
デマンド管理サーバ７が作成するデマンド情報は、例えば図２８に示すものとなる。デマンド制御ＩＤは、デマンド制御の各指示を個別に識別するためのＩＤである。建物ＩＤは、制御対象となる機器が設けられている建物を特定するためのＩＤである。グループＩＤは、制御対象となる機器のグループを特定するためのＩＤである。ここで、デマンド制御の指示は、グループごとに適用されるものとする。制御内容は、デマンド制御の具体的な内容を示す。図２８に示す例は、機器が照明装置２Ｗである場合の例であるため、制御内容は照明装置２Ｗの液晶シャッタ２７Ｗの開閉と、照明装置２Ｗの色温度の決定に関する内容である。
【０２２９】
デマンド管理サーバ７は、例えば気象情報と、図２７に示す設置方位、設置高さ及び周辺建物影響とに基づいて、照明装置２Ｗの制御内容を決定する。例えば、図２７に示す例では、日中は照明装置２Ｗには日射が強く差し込むことが想定され、照明装置２Ｗが設置されたフロアの空調装置の消費電力が大きくなることが予想される。したがって、日中は当該照明装置２Ｗの液晶シャッタ２７Ｗを閉じ、かつ照明装置２Ｗにより青空を模倣することにより、日射を遮蔽して空調装置の消費電力を削減しつつ、建物内にいる者に青空を体感させることができる。
【０２３０】
次に、図２９を参照しながら、照明制御装置３による、遮蔽制御を含む照明制御の動作の一例を説明する。図２９に示す動作は、例えばオフィスビルの管理者が照明制御装置３を起動させたときに開始される。なお、実施の形態１及び６と同様の動作については説明を簡略する。
【０２３１】
照明制御装置３の制御部３０は、外部通信部３１を介して、デマンド管理サーバ７からデマンド情報を取得する（ステップＳ８０１）。
【０２３２】
制御部３０の色温度決定部３０３は、デマンド情報に基づいて色温度を決定する（ステップＳ８０２）。例えばデマンド情報が図２８に示すものであるとき、色温度決定部３０３は、当該デマンド情報が示す制御内容にしたがって色温度を決定する。
【０２３３】
制御部３０の遮蔽判定部３１３は、デマンド情報に基づいて、液晶シャッタ２７Ｗによる遮蔽をすべきか否かを判定する（ステップＳ８０３）。例えばデマンド情報が図２８に示すものであるとき、遮蔽判定部３１３は、当該デマンド情報が示す制御内容にしたがって遮蔽をすべきか否かを判定する。
【０２３４】
遮蔽をすべきであると判定されたとき（ステップＳ８０４：Ｙｅｓ）、制御部３０の遮蔽制御部３１４は、液晶シャッタ２７Ｗを閉じる遮蔽制御をする（ステップＳ８０５）。制御部３０の照明制御部３０４は、ステップＳ８０２にて決定された色温度に基づいて照明装置２Ｗを制御する（ステップＳ８０６）。そして制御部３０は、ステップＳ８０９からの動作を実行する。
【０２３５】
遮蔽をすべきではないと判定されたとき（ステップＳ８０４：Ｎｏ）、遮蔽制御部３１４は、液晶シャッタ２７Ｗを開ける遮蔽制御をする（ステップＳ８０７）。照明制御部３０４は、照明装置２Ｗによる照明をオフにする照明制御をする（ステップＳ８０８）。そして制御部３０は、ステップＳ８０９からの動作を実行する。
【０２３６】
制御部３０は、デマンド管理サーバ７が送信するデマンド情報が更新するまで待機する（ステップＳ８０９）。デマンド情報が更新されたら、制御部３０は、ステップＳ８０１からの動作を繰り返す。
【０２３７】
以上、実施の形態８に係る照明システム１を説明した。実施の形態８に係る照明システム１によれば、デマンド管理サーバ７により作成されるデマンド情報に基づいて、液晶シャッタ２７Ｗによる日射の遮蔽をしつつ照明装置２Ｗによって青空を模倣することにより、消費電力削減のために日射を遮蔽する場合であっても、建物内にいる者に青空を体感させることができる。したがって、実施の形態８に係る照明システム１により、天空を模倣する照明装置２Ｗを利用したソリューションを実現できる。
【０２３８】
（実施の形態８の変形例１）
実施の形態８では、照明制御装置３は、デマンド管理サーバ７により作成されるデマンド情報に基づいて、照明装置２Ｗ及び液晶シャッタ２７Ｗを制御した。しかし、照明制御装置３は、デマンド管理サーバ７と一体となった、インターネットＮＴ上のクラウドサーバであってもよい。
【０２３９】
（実施の形態８の変形例２）
実施の形態８では、照明制御装置３は、色温度決定部３０３による色温度の決定、遮蔽判定部３１３による判定の双方について、デマンド情報に基づくものとした。しかし、照明制御装置３は、遮蔽判定部３１３による判定についてはデマンド情報に基づいて行いつつ、色温度決定部３０３による色温度の決定についてはデマンド情報とは独立に行ってもよい。
【０２４０】
（実施の形態８の詳細）
図６３は青空照明窓付きビル１０５８や家１０５９がスマートタウンにある場合のデマンド制御を行うシステムのクラウド構成の詳細を示したもので、図において、ビルについてはエネルギーや空調などを含むＺＥＢ（net Zero Energy Building）システムを管理するビル管理クラウド１０６１、家についてはＨＥＭＳなどをデマンド管理するスマートタウン管理クラウド１０６２があり、さらにその上位にスマートタウンやシティの電力状態を監視しながらデマンド抑制の指示を行うデマンド管理クラウド１０６３と、気象情報を提供する気象情報クラウド１０６４で構成される。
【０２４１】
前述したように、青空照明窓は図６４に示すようにシャッタ機能を使う事によって昼間の空調負荷を削減できる効果があり、デマンド抑制時の電力推移図１０６９に示すように電力ピークを削減できる効果がある。この際、ビル１０５８や家１０５９の青空照明窓の制御は日射の状態により、どの向きの窓をどのように制御すべきか、について、天候だけでなく、窓の取り付け方向や階層、隣のビルの陰の状態、で異なるため、デマンド管理クラウド１０６３とビル管理クラウド１０６１及びスマートタウン管理クラウド１０６２との間のＷｅｂ−ＡＰＩでやりとりするコマンドは次のように定義される。
（ａ）図６５のように、「番号  ＩｏＴデータ属性  ＩｏＴデータ」の順に記載すると、ビルや家からデマンド管理クラウドに送付されるデータとして、
（ｉ）制御するためのＩＤや分類について、
１  ビルＩＤ  ビル番号
２  タウンＩＤ  スマートタウンの番号、家番号
３  窓群分類  窓群の分類数
４  窓群ＩＤ  窓群における該当群番号
５  窓エリアＩＤ  該当窓群におけるエリア番号
（ｉｉ）窓を制御する際に必要となる属性情報として、
６  窓エリア日射属性  窓の向き（方向）、窓高さ
７  窓エリア影属性  周辺建物からの影の影響の分類
８  窓機器属性  制御可能、発光可能か
９  デマンド対応可否  デマンド抑制を受けるかどうか
１０  発光対応属性  輝度範囲、色温度制御範囲
１１  レイリー対応可否  レイリー散乱機能有無
が必要となる。
（ｂ）図６６に示すように、「番号  デマンド属性  デマンドデータ」の順に記載すると、デマンド管理クラウド１０６２から発行される制御コマンドとして、
（ｉｉｉ）制御対象となる識別ＩＤやコマンドＩＤとして、
１  デマンド発行ＩＤ  デマンド指示ＩＤ番号、発行日時情報
２  ビルＩＤデマンド指示先ビルＩＤ
３  タウンＩＤ・家ＩＤ  デマンド指示先タウンＩＤ・家ＩＤ
４  窓群ＩＤ  デマンド指示先窓群
５  窓エリアＩＤ  デマンド指示先エリア番号
（ｉｖ）デマンド指示内容として、
６  デマンドスケジュール指示  １週間分のデマンド指示スケジュール
７  指示内容  透明（窓）、シャッタ（非透過）、通常発光／レイリー散乱光
８  発光指示詳細  輝度、色温度、点滅（非常時）
９  発光指示詳細  夕焼け発光の向き、透明度合（シャッタ）
１０  次回指示発行  次回指示タイミング事前通知
１１  優先順位設定  マニュアル優先、デマンド優先指示設定
１２  レイリー対応可否  レイリー散乱機能ＯＮ／ＯＦＦ
を発行し、ビル管理クラウドやスマートタウン管理クラウドを経由で実際のビルや家が制御されるものである。
【０２４２】
ここでのデータフォーマットとしては、例えばＪＳＯＮスキーマなどを使った形式でデマンド管理クラウド１０６３から属性１０６５とデータ１０６６を送付する他、ビル管理クラウド１０６０やスマートタウン管理クラウド１０６２からＩｏＴ情報として、ＩｏＴデータ属性１０６７、ＩｏＴデータ１０６８、を上述したＪＳＯＮスキーマなどのデータ形式で、クラウド間Ｗｅｂ−ＡＰＩで伝送する。
【０２４３】
また、エッジ側の窓の制御として、例えば照明コントローラにおけるデマンド制御のフローを図６７に示す。本システムではステップ１０７４にて窓情報をデマンド管理クラウド１０６３に送付する。この際送付するデータはＩｏＴデータ属性１０６７とＩｏＴデータ１０６８から構成されるＪＳＯＮスキーマファイルであり、ビル管理クラウド１０６０もしくはスマートタウン管理クラウド１０６２からＷｅｂ−ＡＰＩでデマンド管理クラウド１０６３へ配信される。
【０２４４】
ここで一旦照明付き窓を窓モード（デフォルト）にリセット（ステップ１０７５）し、コントローラのモード設定が時間連動モードか（ステップ９８６）、デマンド対応か（ステップ１０７６）を判断した後、時間連動であれば窓制御スケジュールを受信（ステップ１０７７）し、デマンド対応であればデマンド情報を受信（ステップ１０７８）し窓制御スケジュールを修正（ステップ１０８０）し、どちらでもなければ壁ＳＷなどでのマニュアル操作（ステップ１０７９）にて設定、を行う。
【０２４５】
あとはステップ１０８１及びステップ１０８２で、窓シャッタを閉じて青空照明発光の指示があれば青空発光を行うように制御される。
【０２４６】
（その他の変形例）
上記の各実施形態では、青空を模倣するための色温度が１１０００Ｋ、曇り空を模倣するための色温度が６０００Ｋ、夕焼けを模倣するための色温度が２５００Ｋであるものとしたが、模倣のための色温度はこれに限られない。例えば、青空を模倣するための温度は、９０００Ｋ、１５０００Ｋなど人間が「青い」と知覚できる程度の色温度であればよい。曇り空についても同様に、５５００Ｋ、６５００Ｋなど人間が「白い」と知覚できる程度の色温度であればよい。夕焼けについても同様に、１５００Ｋ、２０００Ｋなど人間が「赤い」あるいは「橙色である」と知覚できる程度の色温度であればよい。
【０２４７】
上記の照明装置２あるいは照明装置２Ｗでは、照射光Ｌ１は一方向のみから照射されるものとした。しかし、例えば発光部２３を２以上設け、複数方向から照射光Ｌ１が照射されるものであってもよい。例えば、長手方向と短手方向との２方向から異なる輝度及び色温度にて照射光Ｌ１を照射することで、導光板２４上でグラデーションがかかったような空模様を模倣できる。
【０２４８】
図７に示すハードウェア構成においては、照明制御装置３が二次記憶装置１００４を備えている。しかし、これに限らず、二次記憶装置１００４を照明制御装置３の外部に設け、インタフェース１００３を介して照明制御装置３と二次記憶装置１００４とが接続される形態としてもよい。この形態においては、ＵＳＢフラッシュドライブ、メモリカードなどのリムーバブルメディアも二次記憶装置１００４として使用可能である。
【０２４９】
また、図７に示すハードウェア構成に代えて、ＡＳＩＣ（Application Specific Integrated Circuit：特定用途向け集積回路）、ＦＰＧＡ（Field Programmable Gate Array）などを用いた専用回路により照明制御装置３を構成してもよい。また、図７に示すハードウェア構成において、照明制御装置３の機能の一部を、例えばインタフェース１００３に接続された専用回路により実現してもよい。
【符号の説明】
【０２５０】
１  照明システム、２，２Ｗ  照明装置、３  照明制御装置、４  気象サーバ、５  コントローラ、６  入退場管理システム、７  デマンド管理サーバ、１１  浴室空調機、１２  給湯機、１３  キッチン機器、１４  換気装置、２１  制御部、２２  通信部、２３  発光部、２４  導光板、２５  反射板、２６  通常照明部、２７Ｗ  液晶シャッタ、２８  第２発光部、２９  拡散板、３０  制御部、３１  外部通信部、３２  機器通信部、３３  操作部、３４  機器情報記憶部、３０１  気象情報取得部、３０２  日時取得部、３０３  色温度決定部、３０４  照明制御部、３０５  空調制御部、３０６  給湯制御部、３０７  状態検知部、３０８  判定部、３０９  起床時刻取得部、３１０  在不在判定部、３１１  予約状況取得部、３１２  換気制御部、３１３  遮蔽判定部、３１４  遮蔽制御部、１０００  バス、１００１  プロセッサ、１００２  メモリ、１００３  インタフェース、１００４  二次記憶装置、Ｌ１  照射光、Ｌ２  散乱光、Ｌ３  通常光、Ｌ４  外光、ＬＳ  第２照射光、ＬＴ  透過光、ＮＴ  インターネット。
【図１】
2020194703.tif 000003
【図２】
2020194703.tif 000004
【図３】
2020194703.tif 000005
【図４】
2020194703.tif 000006
【図５】
2020194703.tif 000007
【図６】
2020194703.tif 000008
【図７】
2020194703.tif 000009
【図８】
2020194703.tif 000010
【図９】
2020194703.tif 000011
【図１０】
2020194703.tif 000012
【図１１】
2020194703.tif 000013
【図１２】
2020194703.tif 000014
【図１３】
2020194703.tif 000015
【図１４】
2020194703.tif 000016
【図１５】
2020194703.tif 000017
【図１６】
2020194703.tif 000018
【図１７】
2020194703.tif 000019
【図１８】
2020194703.tif 000020
【図１９】
2020194703.tif 000021
【図２０】
2020194703.tif 000022
【図２１】
2020194703.tif 000023
【図２２】
2020194703.tif 000024
【図２３】
2020194703.tif 000025
【図２４】
2020194703.tif 000026
【図２５】
2020194703.tif 000027
【図２６】
2020194703.tif 000028
【図２７】
2020194703.tif 000029
【図２８】
2020194703.tif 000030
【図２９】
2020194703.tif 000031
【図３０】
2020194703.tif 000032
【図３１】
2020194703.tif 000033
【図３２】
2020194703.tif 000034
【図３３】
2020194703.tif 000035
【図３４】
2020194703.tif 000036
【図３５】
2020194703.tif 000037
【図３６】
2020194703.tif 000038
【図３７】
2020194703.tif 000039
【図３８】
2020194703.tif 000040
【図３９】
2020194703.tif 000041
【図４０】
2020194703.tif 000042
【図４１】
2020194703.tif 000043
【図４２】
2020194703.tif 000044
【図４３】
2020194703.tif 000045
【図４４】
2020194703.tif 000046
【図４５】
2020194703.tif 000047
【図４６】
2020194703.tif 000048
【図４７】
2020194703.tif 000049
【図４８】
2020194703.tif 000050
【図４９】
2020194703.tif 000051
【図５０】
2020194703.tif 000052
【図５１】
2020194703.tif 000053
【図５２】
2020194703.tif 000054
【図５３】
2020194703.tif 000055
【図５４】
2020194703.tif 000056
【図５５】
2020194703.tif 000057
【図５６】
2020194703.tif 000058
【図５７】
2020194703.tif 000059
【図５８】
2020194703.tif 000060
【図５９】
2020194703.tif 000061
【図６０】
2020194703.tif 000062
【図６１】
2020194703.tif 000063
【図６２】
2020194703.tif 000064
【図６３】
2020194703.tif 000065
【図６４】
2020194703.tif 000066
【図６５】
2020194703.tif 000067
【図６６】
2020194703.tif 000068
【図６７】
2020194703.tif 000069
【図６８】
2020194703.tif 000070
【図６９】
2020194703.tif 000071
【図７０】
2020194703.tif 000072